(57)【要約】      （修正有）【課題】音楽コンテンツ及び／又は機能実行プログラムを利用可能状態に自動更新する。【解決手段】電子音響装置連携装置は、音楽コンテンツ及び／又は機能実行プログラムを記憶部ＳＴｄに記憶し、連携する電子音響装置から、制御情報Ｃｓが重畳された音声信号Ａｓを受信し（７；ＤＭ）、制御情報Ｃｓが所定の条件を満たすと、記憶部ＳＴｄに記憶されているコンテンツ及び／又は機能実行プログラムについて利用不可能状態のものを利用可能状態に更新する（ＤＣ）。制御情報（譜めくり信号）Ｃｓから抽出したコンテンツ特定情報Ｓｉに対応する音楽コンテンツを記憶部ＳＴｄから読み出す（ＣＴｄ）ように構成することができ、制御情報（機種ＩＤ信号）Ｃｓから抽出した装置の機種特定情報Ｋｉに応じた音楽コンテンツ及び／又は機能実行プログラムについてのみ利用不可能状態のものを利用可能状態に更新する（ＤＣ）ように構成することもできる。【選択図】図５
2013080205.tif 000002
【特許請求の範囲】
【請求項１】
音楽コンテンツを記憶するコンテンツ記憶手段と、
連携する電子音響装置からの信号を受信する信号受信手段と、
信号受信手段により受信された信号が所定の条件を満たすものであるかどうかを判断する信号判断手段と、
信号判断手段により所定の条件を満たすと判断された場合に、コンテンツ記憶手段に記憶された音楽コンテンツについて利用不可能状態のものを利用可能状態に更新する状態更新手段と
を具備することを特徴とする電子音響装置連携装置。
【請求項２】
音楽コンテンツを記憶するコンテンツ記憶手段を具備し、電子音響装置連携装置として機能するコンピュータに、
連携する電子音響装置からの信号を受信する信号受信ステップと、
信号受信ステップで受信された信号が所定の条件を満たすものであるかどうかを判断する信号判断ステップと、
信号判断ステップで所定の条件を満たすと判断された場合に、コンテンツ記憶手段に記憶された音楽コンテンツについて利用不可能状態のものを利用可能状態に更新する状態更新ステップと
から成る手順を実行させる電子音響装置連携プログラム。
【請求項３】
前記信号受信ステップで受信される信号は、情報が重畳された音声信号であり、
前記信号判断ステップでは、前記信号受信ステップで受信された音声信号に重畳された情報を抽出し、所定の条件を満たすかどうかを判断する
請求項２に記載の電子音響装置連携プログラム。
【請求項４】
前記信号判断ステップにおいて判断の対象となる音声信号に重畳された情報には、少なくとも、音楽コンテンツを特定することができるコンテンツ特定情報が含まれている請求項３に記載の電子音響装置連携プログラム。
【請求項５】
前記手順は、さらに、
前記信号受信ステップで受信された音声信号に重畳された情報からコンテンツ特定情報を抽出するコンテンツ特定情報抽出ステップと、
コンテンツ特定情報抽出ステップで抽出されたコンテンツ特定情報に対応する音楽コンテンツを前記コンテンツ記憶手段から読み出すコンテンツ読出しステップと
を含む請求項４に記載の電子音響装置連携プログラム。
【請求項６】
機能を実行するための機能実行プログラムを記憶するプログラム記憶手段と、
連携する電子音響装置からの信号を受信する信号受信手段と、
信号受信手段により受信された信号が所定の条件を満たすものであるかどうかを判断する信号判断手段と、
信号判断手段により所定の条件を満たすと判断された場合に、プログラム記憶手段に記憶された機能実行プログラムについて利用不可能状態のものを利用可能状態に更新する状態更新手段と
を具備することを特徴とする電子音響装置連携装置。
【請求項７】
機能を実行するための機能実行プログラムを記憶するプログラム記憶手段を具備し、電子音響装置連携装置として機能するコンピュータに、
連携する電子音響装置からの信号を受信する信号受信ステップと、
信号受信ステップで受信された信号が所定の条件を満たすものであるかどうかを判断する信号判断ステップと、
信号判断ステップで所定の条件を満たすと判断された場合に、プログラム記憶手段に記憶された機能実行プログラムについて利用不可能状態のものを利用可能状態に更新する状態更新ステップと
から成る手順を実行させる電子音響装置連携プログラム。
【請求項８】
前記信号受信ステップで受信される信号は、情報が重畳された音声信号であり、
前記信号判断ステップでは、前記信号受信ステップで受信された音声信号に重畳された情報を抽出し、所定の条件を満たすかどうかを判断する
請求項７に記載の電子音響装置連携プログラム。
【請求項９】
前記信号判断ステップにおいて判断の対象となる音声信号に重畳された情報には、少なくとも、連携する電子音響装置の機種を特定することができる機種特定情報が含まれている請求項８に記載の電子音響装置連携プログラム。
【請求項１０】
前記プログラム記憶手段には１乃至複数種類の機能実行プログラムが記憶されており、
前記手順は、さらに、前記信号受信ステップで受信された音声信号に重畳された情報から機種特定情報を抽出する機種特定情報抽出ステップを含み、
前記状態更新ステップでは、機種特定情報抽出ステップで抽出された機種特定情報に応じた種類の機能実行プログラムについて利用不可能状態のものを利用可能状態に更新する
請求項９に記載の電子音響装置連携プログラム。
【請求項１１】
前記コンピュータは、１乃至複数種類の音楽コンテンツを記憶するコンテンツ記憶手段を具備し、
前記手順は、さらに、前記信号受信ステップで受信された音声信号に重畳された情報から機種特定情報を抽出する機種特定情報抽出ステップを含み、
前記状態更新ステップでは、機種特定情報抽出ステップで抽出された機種特定情報に応じた種類の音楽コンテンツについて利用不可能状態のものを利用可能状態に更新する
請求項９に記載の電子音響装置連携プログラム。
【発明の詳細な説明】
【技術分野】
【０００１】
この発明は、電子音響装置と連携する音楽コンテンツ表示装置に楽譜データ等の音楽コンテンツを表示する音楽コンテンツ表示システムのように、電子音響装置と連携する電子音響装置連携装置を備えた電子音響装置連携システムに関する。
【背景技術】
【０００２】
従来より、楽譜データ等の音楽コンテンツを利用する装置が知られている。例えば、特許文献１の電子音楽装置では、電子楽譜データを含む電子音楽情報（コンテンツ）をコンテンツ販売サイトからダウンロードすることができ、自装置の機器ＩＤと同じ許諾機器ＩＤが埋め込まれたコンテンツのみ利用することができるようになっている。つまり、自装置の記憶媒体内のコンテンツのリストを表示し、ユーザが利用したいコンテンツを選択すると、選択されたコンテンツに埋め込まれた許諾機器ＩＤの中に自装置の機器ＩＤに一致するものがあるかないかを判定し、一致するものがあれば、選択されたコンテンツを記憶媒体から読み出して利用する。一方、一致する機器ＩＤがなかった場合には、記憶媒体から読み出さず、このコンテンツが自装置では利用できない旨のメッセージを表示する。
【０００３】
従来技術では、このように、利用許諾のないコンテンツも選択時にリストに表示されてしまうので、利用することができないのにユーザに選択されてしまい無駄な操作をさせる可能性がある。また、利用されるコンテンツには利用許諾ＩＤが埋め込まれていなくてはならない。さらに、自装置の買替えなどで機器ＩＤが変わってしまった場合などには、買替え前までは利用可能であったコンテンツを利用することができなくなり、コンテンツ販売サイトから再びダウンロードする等の作業や費用が発生する。
【０００４】
また、機能を実行するためのプログラム等につき機能を拡張して利用することができる装置も知られている。例えば、特許文献２の自動演奏装置では、ユーザ操作により各種プラグインプログラムが外部記憶媒体からインストールされ、簡単に機能を拡張することができる。また、特許文献３の曲データ再生装置では、再生対象の演奏データと購入情報がセットになっており、演奏データ内に再生制限イベントデータが含まれる曲データが、サーバから入手可能であり、再生装置側で曲データを再生する際に購入情報が「試聴版」の場合には、演奏データ内に含まれる再生制限イベントデータを読み出して再生機能（楽譜表示など）に制限をかけることができる（図４）。
【０００５】
さらに、特許文献４の情報処理装置では、管理プログラムにより、異なる機能を提供する複数の部分プログラム（プラグインモジュール等）の実行を管理し、コンフィグレーションファイルにより、管理プログラムの実行に際し選択の対象となる複数の楽器の各々と複数の部分プログラムのうち１以上の部分プログラムとが対応付られており、管理プログラムを実行することによって、利用者が選択した楽器に対応する１以上の部分プログラムを同ファイルに基づいて特定し実行することができる。
【０００６】
しかしながら、機能拡張を行うためには、ユーザが選択操作や設定操作など何らかの作業を行わなければならない。また、コンテンツに制限情報がある場合には、購入手続きなどを行って制限を外す必要がある。
【先行技術文献】
【特許文献】
【０００７】
【特許文献１】特開２００３−２７１７６６号公報
【特許文献２】特許第３６１４０６１号公報
【特許文献３】特許第４０２９７３５号公報
【特許文献４】特開２００４−２１３１７７号公報
【発明の概要】
【発明が解決しようとする課題】
【０００８】
この発明は、このような事情に鑑み、電子音響装置から受信した信号が所定の条件を満たすときに、自装置（電子音響装置連携装置）ユーザが当該電子音響装置の購入者であるとみなし、自装置が保持している音楽コンテンツ及び／又は機能実行プログラムを、連携すべき電子音響装置に対応したものとして利用可能状態に自動的に更新することができる電子音響装置連携システムを提供することを目的とする。
【課題を解決するための手段】
【０００９】
この発明の第１の特徴に従うと、音楽コンテンツ〔楽譜表示データ、ガイド用イラストデータ、歌詞表示データ、コードネーム表示データ、コード進行指示データ（非表示データ）、伴奏スタイルデータ（非表示データ）、付属情報、コメントデータ、対応ＭＩＤＩデータなどの曲対応データ〕を記憶するコンテンツ記憶手段（４；ＳＴｄ）と、連携する電子音響装置（ＥＭ）からの信号（Ａｓ）を受信する信号受信手段（７；ＤＭ）と、信号受信手段（７；ＤＭ）により受信された信号（Ａｓ）が所定の条件を満たすものであるかどうかを判断する信号判断手段（ＤＭ，ＤＣ；Ｓ５〜Ｓ８）と、信号判断手段（ＤＭ，ＤＣ；Ｓ５〜Ｓ８）により所定の条件を満たすと判断された場合に（Ｓ８＝ＹＥＳ）、コンテンツ記憶手段（４；ＳＴｄ）に記憶された音楽コンテンツ（曲対応データ）について利用不可能状態のものを利用可能状態に更新する状態更新手段〔ＤＣ；Ｓ１０（Ｐ２）〕とを具備する電子音響装置連携装置（ＤＳ）〔請求項１〕、並びに、音楽コンテンツ（曲対応データ）を記憶するコンテンツ記憶手段（４；ＳＴｄ）を具備し、電子音響装置連携装置として機能するコンピュータ（ＤＳ）に、連携する電子音響装置（ＥＭ）からの信号（Ａｓ）を受信する信号受信ステップ（ＤＭ）と、信号受信ステップ（ＤＭ）で受信された信号（Ａｓ）が所定の条件を満たすものであるかどうかを判断する信号判断ステップ（ＤＭ，ＤＣ；Ｓ５〜Ｓ８）と、信号判断ステップ（ＤＭ，ＤＣ；Ｓ５〜Ｓ８）で所定の条件を満たすと判断された場合に（Ｓ８＝ＹＥＳ）、コンテンツ記憶手段（４；ＳＴｄ）に記憶された音楽コンテンツ（曲対応データ）について利用不可能状態のものを利用可能状態に更新する状態更新ステップ〔ＤＣ；Ｓ１０（Ｐ２）〕とから成る手順を実行させる電子音響装置連携プログラム〔請求項２〕が提供される。なお、括弧書きは、理解の便のために付記した実施例の参照記号や用語等であり、以下においても同様である。
【００１０】
この発明の第１の特徴による電子音響装置連携プログラムにおいて、信号受信ステップ（ＤＭ）で受信される信号（Ａｓ）は、情報（Ｃｓ）が重畳された音声信号であり、信号判断ステップ（ＤＭ，ＤＣ；Ｓ５〜Ｓ８）では、信号受信ステップ（ＤＭ）で受信された音声信号（Ａｓ）に重畳された情報（Ｃｓ）を抽出し、所定の条件を満たすかどうかを判断する〔請求項３〕ように構成することができる。
【００１１】
この電子音響装置連携プログラムでは、信号判断ステップ（ＤＭ，ＤＣ；Ｓ５〜Ｓ８）において判断の対象となる音声信号（Ａｓ）に重畳された情報（Ｃｓ＝Ｃｓ１）には、少なくとも、音楽コンテンツを特定することができるコンテンツ特定情報（Ｓｉ）が含まれている〔請求項４〕ように構成することができる。
【００１２】
また、この電子音響装置連携プログラムにおいて、手順は、さらに、信号受信ステップ（ＤＭ）で受信された音声信号（Ａｓ）に重畳された情報（Ｃｓ）からコンテンツ特定情報（Ｓｉ）を抽出するコンテンツ特定情報抽出ステップ（ＥＸ；Ｓ１１）と、コンテンツ特定情報抽出ステップ（ＥＸ；Ｓ１１）で抽出されたコンテンツ特定情報（Ｓｉ）に対応する音楽コンテンツ（曲対応データ）をコンテンツ記憶手段（４；ＳＴｄ）から読み出すコンテンツ読出しステップ〔ＣＴｄ；Ｓ１５（Ｑ１〜Ｑ４），Ｓ１８（Ｒ１〜Ｒ５）〕とを含む〔請求項５〕ように構成することができる。
【００１３】
この発明の第２の特徴に従うと、機能（レイアウト切替え、印刷、ズーム切替えなど）を実行するための機能実行プログラムを記憶するプログラム記憶手段（４；ＳＴｄ）と、連携する電子音響装置（ＥＭ）からの信号（Ａｓ）を受信する信号受信手段（７；ＤＭ）と、信号受信手段（７；ＤＭ）により受信された信号（Ａｓ）が所定の条件を満たすものであるかどうかを判断する信号判断手段（ＤＭ，ＤＣ；Ｓ５〜Ｓ８，Ｔ５）と、信号判断手段（ＤＭ，ＤＣ；Ｓ５〜Ｓ８，Ｔ５）により所定の条件を満たすと判断された場合に（Ｓ８＝ＹＥＳ，Ｔ５＝ＹＥＳ）、プログラム記憶手段（４；ＳＴｄ）に記憶された機能実行プログラムについて利用不可能状態のものを利用可能状態に更新する状態更新手段〔ＤＣ；Ｓ１９，Ｔ６（Ｙ５〜Ｙ８）〕とを具備する電子音響装置連携装置（ＤＳ）〔請求項６〕、並びに、機能（レイアウト切替え、印刷、ズーム切替えなど）を実行するための機能実行プログラムを記憶するプログラム記憶手段（４；ＳＴｄ）を具備し、電子音響装置連携装置として機能するコンピュータ（ＤＳ）に、連携する電子音響装置からの信号（Ａｓ）を受信する信号受信ステップ（ＤＭ）と、信号受信ステップ（ＤＭ）で受信された信号（Ａｓ）が所定の条件を満たすものであるかどうかを判断する信号判断ステップ（ＤＭ，ＤＣ；Ｓ５〜Ｓ８，Ｔ５）と、信号判断ステップ（ＤＭ，ＤＣ；Ｓ５〜Ｓ８，Ｔ５）で所定の条件を満たすと判断された場合に（Ｓ８＝ＹＥＳ，Ｔ５＝ＹＥＳ）、プログラム記憶手段（４；ＳＴｄ）に記憶された機能実行プログラムについて利用不可能状態のものを利用可能状態に更新する状態更新ステップ〔ＤＣ；Ｓ１９，Ｔ６（Ｙ５〜Ｙ８）〕とから成る手順を実行させる電子音響装置連携プログラム〔請求項７〕が提供される。
【００１４】
この発明の第２の特徴による電子音響装置連携プログラムにおいて、信号受信ステップ（ＤＭ）で受信される信号（Ａｓ）は、情報（Ｃｓ）が重畳された音声信号であり、信号判断ステップ（ＤＭ，ＤＣ；Ｓ５〜Ｓ８，Ｔ５）では、信号受信ステップ（ＤＭ）で受信された音声信号（Ａｓ）に重畳された情報（Ｃｓ）を抽出し、所定の条件を満たすかどうかを判断する〔請求項８〕ように構成することができる。
【００１５】
この電子音響装置連携プログラムにおいて、信号判断ステップ（ＤＭ，ＤＣ；Ｔ５）において判断の対象となる音声信号（Ａｓ）に重畳された情報（Ｃｓ＝Ｃｓ２）には、少なくとも、連携する電子音響装置（ＥＭ）の機種を特定することができる機種特定情報（Ｋｉ）が含まれている〔請求項９〕ように構成することができる。
【００１６】
また、この電子音響装置連携プログラムにおいて、プログラム記憶手段（４；ＳＴｄ）には、１乃至複数種類の機能実行プログラムが記憶されており、手順は、さらに、信号受信ステップ（ＤＭ）で受信された音声信号（Ａｓ）に重畳された情報（Ｃｓ）から機種特定情報（機種ＩＤを抽出する機種特定情報抽出ステップ〔ＥＸ；Ｔ６（Ｙ１）〕を含み、状態更新ステップ〔ＤＣ；Ｔ６（Ｙ５〜Ｙ８）〕では、機種特定情報抽出ステップ〔ＥＸ；Ｔ６（Ｙ１）〕で抽出された機種特定情報（Ｋｉ）に応じた種類の機能実行プログラムについて利用不可能状態のものを利用可能状態に更新する（Ｙ７）〔請求項１０〕ように構成することができる。
【００１７】
この電子音響装置連携プログラムにおいて、コンピュータ（ＤＳ）は、１乃至複数種類の音楽コンテンツ（曲対応データ）を記憶するコンテンツ記憶手段（４；ＳＴｄ）を具備し、手順は、さらに、信号受信ステップ（ＤＭ）で受信された音声信号（Ａｓ）に重畳された情報（Ｃｓ）から機種特定情報（Ｋｉ）を抽出する機種特定情報抽出ステップ〔ＥＸ；Ｔ６（Ｙ１）〕を含み、状態更新ステップ〔ＤＣ；Ｔ６（Ｙ５〜Ｙ８）〕では、機種特定情報抽出ステップ（ＥＸ）で抽出された機種特定情報（Ｋｉ）に応じた種類の音楽コンテンツ（曲対応データ）について利用不可能状態のものを利用可能状態に更新する（Ｙ６）〔請求項１１〕ように構成することができる。
【発明の効果】
【００１８】
この発明の第１の特徴による電子音響装置連携システムでは（請求項１，２）、所定の電子音響装置（ＥＭ）に従属し連携して動作する電子音響装置連携装置（ＤＳ）は、電子音響装置（ＥＭ）に対応する追加的な音楽コンテンツ（楽譜表示データ、ガイド用イラストデータ、歌詞表示データ、コードネーム表示データ、付属情報、コメントデータ、コード進行指示データ、伴奏スタイルデータ、対応ＭＩＤＩデータなどの曲対応データ）を記憶するコンテンツ記憶手段（４；ＳＴｄ）を備える。この電子音響装置連携装置（ＤＳ）が従属し連携する対象である特定の電子音響装置（ＥＭ）から発信された信号（Ａｓ）を受信すると（ＤＭ）、受信された信号（Ａｓ）が所定の条件を満たすものであるかどうかを判断する（ＤＭ，ＤＣ；Ｓ５〜Ｓ８）。所定の条件とは、例えば、所定の種類の信号（Ｃｓ）を初めて受信した、合計して乃至連続して１０回目の受信である、或いは、合計した乃至連続した信号受信の間隔が１秒以内である、などである。このような所定の条件を満たす信号（Ａｓ）は、従属対象（連携元）の電子音響装置（ＥＭ）から発信することができる。この信号判断の結果、所定の条件を満たす信号（Ａｓ）であった場合は（Ｓ８＝ＹＥＳ）、コンテンツ記憶手段（４；ＳＴｄ）に記憶されている音楽コンテンツ（曲対応データ）のうち、利用不可能状態である全ての音楽コンテンツ（曲対応データ）を利用可能状態に更新する〔ＤＣ；Ｓ１０（Ｐ２）〕。
【００１９】
つまり、この発明では、電子音響装置連携装置（ＤＳ）は、連携元の電子音響装置（ＥＭ）と通信可能であることを認識することができたときに、電子音響装置連携装置のユーザが連携すべき電子音響装置（ＥＭ）の購入者であるとみなし、コンテンツ記憶手段（４；ＳＴｄ）に元々記憶されており当該電子音響装置（ＥＭ）に対応するが利用不可能な状態に設定されている音楽コンテンツ（曲対応データ）を自動的に利用可能な状態に更新する（ＤＣ）。なお、完全に自動でなくとも、「更新」のメッセージが一度表示されたときにボタンを１つ押すだけで済ませることができる。また、音楽コンテンツ（曲対応データ）側には利用許諾ＩＤ情報が不要であり、機種情報を埋め込む必要がない。
【００２０】
従って、この発明によれば、電子音響装置連携装置において利用可能な音楽コンテンツ（曲対応データ）を容易に取得することができ、ユーザの操作負担（例えば、登録や音楽コンテンツ購入などといった作業）を軽減することができる。また、ユーザが不具合やバージョンアップなどで電子音響装置連携プログラムを再インストールしたり或いは電子音響装置連携装置自体を買い替えた場合にも、一度、電子音響装置と通信状態にして所定の信号を受信すれば、直ちに、再インストール前或いは買替え前の状態（利用可能な音楽コンテンツ）にすることができる。さらに、ユーザの作業が軽減されるだけでなく、連携元の電子音響装置の購入者であることが自動的に分り、ユーザが正規に所持する電子音響装置に内蔵される曲データ等の音楽コンテンツに対応する追加的な音楽コンテンツに対してセキュリティが考慮されたものになる。更に、自動的に利用可能な状態になった音楽コンテンツは、連携すべき電子音響装置に必ず対応したものになる。
【００２１】
この発明の第１の特徴による電子音響装置連携システムでは、受信される信号（Ａｓ）が、情報（Ｃｓ）が重畳された音声信号（Ａｓ）であり、受信された音声信号（Ａｓ）に重畳された情報（Ｃｓ）を抽出して所定の条件を満たすかどうかを判断する（ＤＭ，ＤＣ；Ｓ５〜Ｓ８）ようにしている（請求項３）。従って、この発明によれば、電子音響装置連携装置と所定の電子音響装置を接続することなく、それぞれ、電源を入れて近くにおくだけで、必要な利用可能音楽コンテンツを追加することができる。
【００２２】
この電子音響装置連携システムでは、所定の条件を満たすかどうかの判断（ＤＭ，ＤＣ；Ｓ５〜Ｓ８）の対象となる音声信号（Ａｓ）に重畳された情報（Ｃｓ＝Ｃｓ１）には、少なくとも、音楽コンテンツを特定することができるコンテンツ特定情報（Ｓｉ）を含むようにしている（請求項４）。従って、この発明によれば、音声信号に重畳された情報に含まれるコンテンツ特定情報を利用して、電子音響装置に対応する楽譜データ等の所望音楽コンテンツを特定することができる。
【００２３】
この電子音響装置連携システムでは、さらに、受信した音声信号（Ａｓ）に重畳されている情報（Ｃｓ）からコンテンツ特定情報（Ｓｉ）を抽出し（ＥＸ）、抽出したコンテンツ特定情報（Ｓｉ）に対応する音楽コンテンツ（曲対応データ）をコンテンツ記憶手段（４；ＳＴｄ）から読み出す（ＣＴｄ）ようにしている（請求項５）。従って、この発明によれば、音声信号に重畳された情報に含まれるコンテンツ特定情報を利用して、電子音響装置に対応する所望の音楽コンテンツをコンテンツ記憶手段から読み出すことができる。
【００２４】
この発明の第２の特徴による電子音響装置連携システムでは（請求項６，７）、所定の電子音響装置（ＥＭ）に従属し連携して動作する電子音響装置連携装置（ＤＳ）は、電子音響装置（ＥＭ）に対応する追加的な機能実行プログラム（例えば、電子音響装置連携装置が音楽コンテンツ表示装置の場合、レイアウト切替え機能、印刷機能、ズーム切替え機能などの機能を実行するためのプログラム）を記憶するプログラム記憶手段（４；ＳＴｄ）を備える。この電子音響装置連携装置（ＤＳ）が従属し連携する対象である特定の電子音響装置（ＥＭ）から発信された信号（Ａｓ）を受信すると（ＤＭ）、受信された信号（Ａｓ）が所定の条件を満たすものであるかどうかを判断する（ＤＭ，ＤＣ；Ｓ５〜Ｓ８，Ｔ５）。所定の条件とは、例えば、所定の種類の信号（Ｃｓ）を初めて受信した、合計して乃至連続して１０回目の受信である、或いは、合計した乃至連続した信号受信の間隔が１秒以内である、などである。このような所定の条件を満たす信号（Ａｓ）は、従属対象（連携元）の電子音響装置（ＥＭ）から発信することができる。この信号判断の結果、所定の条件を満たす信号（Ａｓ）であった場合は（Ｓ８＝ＹＥＳ，Ｔ５＝ＹＥＳ）、プログラム記憶手段（４；ＳＴｄ）に記憶されている機能実行プログラムのうち、利用不可能状態である全ての機能実行プログラムを利用可能状態に更新する〔ＤＣ；Ｓ１９，Ｔ６（Ｙ５〜Ｙ８）〕。
【００２５】
つまり、この発明では、電子音響装置連携装置（ＤＳ）は、連携元の電子音響装置（ＥＭ）と通信可能であることを認識することができたときに、電子音響装置連携装置のユーザが連携すべき電子音響装置の購入者であるとみなし、プログラム記憶手段（４；ＳＴｄ）に元々記憶されており当該電子音響装置（ＥＭ）に対応するが利用不可能な状態に設定されていた機能実行プログラムを自動的に利用可能な状態に設定する（ＤＣ）。なお、完全に自動でなくとも、「更新」のメッセージが一度表示されたときにボタンを１つ押すだけで済ませることができる。また、機能実行プログラム側には利用許諾ＩＤ情報が不要であり、機種情報を埋め込む必要がない。
【００２６】
従って、この発明によれば、機能についても、音楽コンテンツと同様に、電子音響装置連携装置において利用可能な機能実行プログラムを容易に取得することができ、ユーザの操作の負担（例えば、選択やインストールなどといった作業）を軽減することができる。また、ユーザが不具合やバージョンアップなどで電子音響装置連携プログラムを再インストールしたり或いは電子音響装置連携装置自体を買い替えた場合にも、一度、電子音響装置と通信状態にして所定の信号を受信すれば、直ちに、再インストール前或いは買替え前の状態（利用可能な機能実行プログラム）にすることができる。さらに、ユーザの作業が軽減されるだけでなく、連携元の電子音響装置の購入者であることが自動的に分り、ユーザが正規に所持する電子音響装置に対応する追加的な機能実行プログラムに対してセキュリティが考慮されたものになる。更に、自動的に利用可能な状態になった機能実行プログラムは、連携すべき電子音響装置に必ず対応したものになる。
【００２７】
この発明の第２の特徴による電子音響装置連携システムでは、受信される信号（Ａｓ）が、情報（Ｃｓ）が重畳された音声信号（Ａｓ）であり、受信された音声信号（Ａｓ）に重畳された情報（Ｃｓ）を抽出して所定の条件を満たすかどうかを判断する（ＤＭ，ＤＣ；Ｓ５〜Ｓ８，Ｔ５）ようにしている（請求項８）。従って、この発明によれば、電子音響装置連携装置と所定の電子音響装置を接続することなく、それぞれ、電源を入れて近くにおくだけで、必要な利用可能機能実行プログラムを追加することができる。
【００２８】
この電子音響装置連携システムでは、所定の条件を満たすかどうかの判断（ＤＭ，ＤＣ；Ｔ５）の対象となる音声信号（Ａｓ）に重畳された情報（Ｃｓ＝Ｃｓ２）には、少なくとも、連携する電子音響装置（ＥＭ）の機種を特定することができる機種特定情報（Ｋｉ）を含むようにしている（請求項９）。従って、この発明によれば、音声信号に重畳された情報に含まれる機種特定情報を利用して、連携する電子音響装置の機種に対応する所望の機能実行プログラムを特定することができる。
【００２９】
この電子音響装置連携システムでは、プログラム記憶手段（４；ＳＴｄ）には１乃至複数種類の機能実行プログラムが記憶されており、受信した音声信号（Ａｓ）に重畳された情報（Ｃｓ）から機種特定情報（Ｋｉ）を抽出し〔ＥＸ；Ｔ６（Ｙ１）〕、抽出した機種特定情報（Ｋｉ）に応じた種類の機能実行プログラムについて利用不可能状態のものを利用可能状態に更新する（ＤＣ）ようにしている（請求項１０）。従って、この発明によれば、音声信号に重畳された情報に含まれる機種特定情報を利用して、プログラム記憶手段に記憶された１乃至複数種類の機能実行プログラムのうち電子音響装置の機種に応じた所望種類の機能実行プログラムのみを利用可能状態に更新することができる。
【００３０】
この電子音響装置連携システムでは、１乃至複数種類の音楽コンテンツ（曲対応データ）がコンテンツ記憶手段（４；ＳＴｄ）に記憶されており、受信音声信号（Ａｓ）に重畳された情報（Ｃｓ）から機種特定情報（Ｋｉ）を抽出〔ＥＸ；Ｔ６（Ｙ１）〕し、抽出した機種特定情報（Ｋｉ）に応じた種類の音楽コンテンツ（曲対応データ）について利用不可能状態のものを利用可能状態に更新する（ＤＣ）ようにしている（請求項１１）。従って、この発明によれば、音声信号に重畳された情報に含まれる機種特定情報を利用して、コンテンツ記憶手段に記憶された１乃至複数種類の音楽コンテンツのうち電子音響装置の機種に応じた所望種類の音楽コンテンツのみを利用可能状態に更新することができる。
【図面の簡単な説明】
【００３１】
【図１】この発明の一実施例による電子音響装置連携システム（音楽コンテンツ表示システム）の構成例を示す。
【図２】この発明の一実施例における電子音響装置（電子楽器などの電子音楽装置）の機能ブロック図である。
【図３】この発明の一実施例における制御信号のフォーマット例を示す。
【図４】この発明の一実施例における電子音響装置連携装置（楽譜表示装置などの音楽コンテンツ表示装置）の第１機能を表わすブロック図である。
【図５】この発明の一実施例における電子音響装置連携装置（楽譜表示装置などの音楽コンテンツ表示装置）の第２機能を表わすブロック図である。
【図６】この発明の一実施例における表示画面の構成例を示す。
【図７】この発明の一実施例による電子音響装置連携処理（音楽コンテンツ表示処理）のフローチャートの一部を示す。
【図８】この発明の一実施例による電子音響装置連携処理（音楽コンテンツ表示処理）のフローチャートの他部を示す。
【図９】この発明の一実施例によるコンテンツ追加処理のフローチャートを示す。
【図１０】この発明の一実施例によるコンテンツ読出し表示処理のフローチャートを示す。
【図１１】この発明の一実施例による目次からの表示処理のフローチャートを示す。
【図１２】この発明の一実施例における機能及びコンテンツ対応テーブルの例を示す。
【図１３】この発明の一実施例による別の電子音響装置連携処理のフローチャートを示す。
【図１４】この発明の一実施例によるコンテンツ及び機能追加処理のフローチャートを示す。
【発明を実施するための形態】
【００３２】
この発明による電子音響装置連携システムは、電子音響装置と、電子音響装置と連携する電子音響装置連携装置とにより構成される。まず、楽音などの音響信号を出力する電子音響装置として電子楽器などの電子音楽装置が用いられ、電子音響装置と連携して動作する電子音響装置連携装置として楽譜表示装置などの音楽コンテンツ表示装置が用いられ、両装置から成る音楽コンテンツ表示システムが電子音響装置連携システムとして機能する場合について、図面を参照しつつ、この発明の実施の形態を説明する。
【００３３】
〔システム構成及びハードウエア構成の例〕
図１は、この発明の一実施例による電子音響装置連携システム（音楽コンテンツ表示システム）の構成例を示す。この発明の一実施例による電子音響装置連携システムは、電子音響装置連携装置（楽譜表示装置などの音楽コンテンツ表示装置）ＤＳと、電子音響装置連携装置ＤＳが連携する所定の電子音響装置（電子楽器などの電子音楽装置）ＥＭとから成り、好ましくは、電子音響装置連携装置ＤＳにはタブレット（タッチパネル）型のモバイル情報処理装置が用いられる。電子音響装置連携装置（以下、音楽コンテンツ表示装置という）ＤＳは、ハードウエア構成として、中央処理装置（ＣＰＵ）１、ランダムアクセスメモリ（ＲＡＭ）２、読出専用メモリ（ＲＯＭ）３、記憶装置４、入力操作部５、表示部６、音声入力部７、通信インターフェース（通信Ｉ／Ｆ）８、印刷出力部（図示せず）などの要素を備え、これら要素１〜８はバス９を介して互いに接続される。
【００３４】
音楽コンテンツ表示装置ＤＳ全体を制御するＣＰＵ１は、電子音響装置連携処理プログラムを含む各種制御プログラムに従って各種処理を実行するデータ処理部を構成し、各種制御プログラムに従い種々の処理を実行する。ＲＡＭ２は、これらの処理に際して必要な各種データを記憶しておいたり一時的に保持するのに用いられる。例えば、電子音響装置連携処理プログラムに基づく電子音響装置連携処理の際は、制御信号（Ｃｓ）の受信回数（受信カウントという）をカウントする制御信号の受信カウンタや、所定の受信条件を満足したときにセットされる機能フラグが設けられる。ＲＯＭ３には、所定の制御プログラムや制御用データが記憶される。
【００３５】
記憶装置４は、フラッシュメモリ等の記憶媒体とその駆動装置を含み、制御プログラムや種々のデータを任意の記憶媒体に記憶することができる。記憶媒体は、着脱可能であってもよいし、この音楽コンテンツ表示装置ＤＳに内蔵されていてもよい。また、記憶装置４には、音楽コンテンツ表示プログラムなどのアプリケーションを楽譜データなどの音楽コンテンツと共に記憶しておくことができ、特に、楽譜データなどの音楽コンテンツを記憶したり、音楽コンテンツ表示プログラム（楽譜表示プログラム）などの電子音響装置連携処理プログラムを記憶するための記憶部（ＳＴｄ）が設けられ、この記憶部（ＳＴｄ）には、現在対応可能な電子音響装置ＥＭの機種ランクを示す変数（ＳＴＡＴＥ）を格納することができる。なお、記憶部（ＳＴｄ）に記憶される電子音響装置連携処理プログラムは、種々の機能を実行するための追加的なプログラムを含んでおり、このプログラムは、この明細書では「機能実行プログラム」と呼ばれる。
【００３６】
入力操作部（設定操作部ともいう）５は、スイッチ等の設定操作子による設定操作を検出し、対応する各種設定情報をデータ処理部に導入する。表示部６は、ＬＣＤ等のディスプレイ（表示器）の表示内容をＣＰＵ１からの指令に従って制御し、各種設定操作に対する表示援助を行う。なお、以下の説明では、タッチパネルを使用して設定操作子及び表示器の機能が一体化されたものとする。音声入力部７は、マイクロフォン（以下マイクという）及び音声信号入力部を備え、電子音楽装置ＥＭからマイクを通じて入力される音声信号を音声信号入力部を通じてデータ処理部に導入することができる。
【００３７】
通信Ｉ／Ｆ８は、ＭＩＤＩ等の音楽用有線Ｉ／Ｆ、ＵＳＢ等の汎用ネットワークＩ／Ｆ或いは無線Ｌａｎ等の汎用近距離無線Ｉ／Ｆ等を含み、ネットワークＣＮを通じてサーバＳＶと交信することができる。例えば、サーバＳＶからは、楽譜データや曲ガイド用イラストデータ等の音楽コンテンツや、音楽コンテンツ表示に関する所定の機能を実行するための機能実行プログラムなどを取得し、記憶装置４の記憶部（ＳＴｄ）に記憶しておくことができる。また、印刷出力部（図示せず）には、有線或いは無線でプリンタ（図示せず）を通信可能に接続することができる。
【００３８】
音楽コンテンツ表示装置即ち電子音響装置連携装置ＤＳに対して音声信号を発信する電子音響装置（以下、電子音楽装置という）ＥＭのハードウエアも、音楽コンテンツ表示装置ＤＳと同様の要素で構成されるが（但し、音声入力部は無くてもよい）、さらに、鍵盤などの演奏操作子による演奏操作を検出する演奏操作部１１、楽音信号や制御信号を含む音声信号を生成する音声信号生成部１２、生成された音声信号をスピーカから音波で出力する音声出力部１３などを備える。
【００３９】
〔電子音楽装置（電子音響装置）ＥＭの機能〕
この発明の一実施例による電子音響装置連携システム（音楽コンテンツ表示システム）において、電子音楽装置は、上述のように電子楽器の機能を備えると共に、音楽コンテンツ表示装置に音声信号を発信して所要の音楽コンテンツ（楽譜データや曲ガイド用イラストデータ等の表示用曲対応データ）を用意させたり表示させる機能を備える電子音響装置である。図２は、この発明の一実施例における電子音楽装置の機能ブロック図である。この電子音楽装置ＥＭの記憶装置にはデータ記憶部ＳＴｅが構築され、データ記憶部ＳＴｅには、予め、ＭＩＤＩデータやオーディオデータ等の再生用音楽データ（曲データ）が利用可能な音楽コンテンツとして多数格納されると共に、この電子音楽装置ＥＭの機種に関する機種情報が記憶されている。各音楽コンテンツには、実体データとなる曲データＭｄの外に、曲名や演奏者名などの曲情報及び曲ＩＤ情報Ｓｉが含まれている。曲ＩＤ情報Ｓｉは、当該音楽コンテンツを特定する特有の情報であり、曲ＩＤ、ＩＤ情報或いは曲番号とも呼ばれ、音楽コンテンツ表示装置ＤＳにおいて、表示に利用される音楽コンテンツ（表示用曲対応データ）を特定するための「音楽コンテンツ特定情報」としても機能する。
【００４０】
なお、この音楽コンテンツ（表示用曲対応データ）は曲ＩＤ情報Ｓｉを付属情報として持っていてもよいし、各種音楽コンテンツ（表示用曲対応データ）と曲ＩＤ情報Ｓｉとの対応テーブル或いはプログラムを音楽コンテンツ表示装置ＤＳ内に持っていてもよい。また、電子音楽装置ＥＭ内で、曲ＩＤ情報Ｓｉを予めテーブル等で音楽コンテンツ表示装置ＤＳにおけるコンテンツ識別情報に変換しておき、変換されたコンテンツ識別情報から音楽コンテンツ（表示用曲対応データ）を直接特定することができるようにしてもよい。
【００４１】
この電子音楽装置ＥＭは、機能ブロックとして、上述したデータ記憶部ＳＴｅの外に、設定操作部ＳＮ、制御部ＣＴｅ、再生部ＲＰ及び重畳部ＳＰを備える。設定操作部ＳＮは、曲選択スイッチや曲再生スイッチ、制御信号出力のオン／オフを切り替える制御ボタン等のスイッチを有し、これらスイッチの操作による曲の選択や再生の指示、制御信号出力のオン／オフなどの設定操作を検出して制御部ＣＴｅに入力する。なお、制御ボタンをなくし、例えば、曲選択スイッチや曲再生スイッチのオン／オフに合わせて制御信号の出力もオン／オフするような仕組みであってもよい。
【００４２】
制御部ＣＴｅは、主としてＣＰＵにより実現される機能ブロックであり、曲データ取得部ＭＡ、曲ＩＤ取得部ＳＡ及び機種ＩＤ取得部ＫＡを備える。曲データ取得部ＭＡは、設定操作部ＳＮで検出された曲選択操作により指示される曲に対応した音楽コンテンツをデータ記憶部ＳＴｅから読み出し、読み出した音楽コンテンツ中の曲データ（ＭＩＤＩデータやオーディオデータ等）Ｍｄを再生部ＲＰに出力する。また、曲ＩＤ取得部ＳＡは、読み出された音楽コンテンツから曲ＩＤ情報Ｓｉを取得し、取得した曲ＩＤ情報Ｓｉを重畳部ＳＰに出力する。更に、機種ＩＤ取得部ＫＡは、この電子音楽装置ＥＭの機種を表わす機種ＩＤ情報Ｋｉをデータ記憶部ＳＴｅの機種情報から取得して重畳部ＳＰに出力する。
【００４３】
再生部ＲＰ及び重畳部ＳＰは、主として音声信号生成部１２により実現される機能ブロックである。再生部ＲＰは、設定操作部ＳＮの曲再生スイッチがオンされていると、制御部ＣＴｅの曲データ取得部ＭＡからの曲データＭｄを再生して楽音信号を生成し、演奏操作部１１からの演奏操作があると、演奏操作に基づく演奏データＰｄを再生して楽音信号を生成することができ、生成された楽音信号Ｒｓは重畳部ＳＰに出力される。この楽音生成については、曲データの再生に合わせて演奏操作部１１で演奏する（曲データＭｄ及び演奏データＰｄを再生する）場合、曲データＭｄのみを再生する場合、曲データＭｄを再生しないで演奏操作部１１で演奏する（演奏データＰｄのみを再生する）場合などがある。また、再生部ＲＰでは、曲データＭｄを再生している場合には、現在再生中の曲進行上の位置を表わす位置情報Ｂｎが生成され、重畳部ＳＰに出力される。位置情報Ｂｎには、例えば、現在再生されている楽音が位置する小節の番号を表わす小節番号（小節位置ともいう）や、再生される曲データＭｄに対応する楽譜が複数ページにわたって表示される場合において、現在再生されている楽音が位置するページの番号を表わすページ番号（ページ位置ともいう）など、楽譜上の任意の範囲を用いることができるが、以下の例では小節番号が用いられる。
【００４４】
なお、位置情報Ｂｎについては、破線で示すように、曲データＭｄを再生部Ｒｐで読み出す際に、制御部ＣＴｅで直接生成し或いは曲データＭｄから取得して、重畳部ＳＰに出力するようにしてもよい。例えば、曲データＭｄにマスタートラック情報的なタイミングデータがある場合、曲データＭｄの読出しに同期して、このタイミングデータをそのまま位置情報Ｂｎとして読み出せばよい。
【００４５】
重畳部ＳＰは、制御信号Ｃｓを生成する制御信号生成部ＳＰ１及び楽音信号Ｒｓと制御信号Ｃｓを重畳する信号重畳部ＳＰ２から成り、制御信号Ｃｓには、少なくとも曲ＩＤ情報を持ち「譜めくり信号」と呼ばれる制御信号Ｃｓ１、或いは、少なくとも機種ＩＤ情報を持ち「機種ＩＤ信号」と呼ばれる制御信号Ｃｓ２が用いられる。制御信号生成部ＳＰ１の譜めくり信号生成機能又は機種ＩＤ信号生成機能は、設定操作部ＳＮの譜めくり制御ボタン又は機種ＩＤ送信ボタンがオンされると（なお、かかるなボタンのオン／オフは、「曲選択」或いは「曲再生」の指示／解除などを受け付けたことに替えてもよい）能動化し、制御部ＣＴｅからの曲ＩＤ情報Ｓｉ及び再生部ＲＰからの位置情報Ｂｎ又は制御部ＣＴｅからの機種ＩＤ情報Ｋｉに基づいて、制御信号Ｃｓ：Ｃｓ１，Ｃｓ２を所定の時間間隔で（例えば、０．５秒毎に）生成する。また、制御ボタン或いは送信ボタンがオフされると、重畳部ＳＰは動作を停止し、制御信号Ｃｓ：Ｃｓ１，Ｃｓ２は生成されない。但し、他の種類の制御信号（例えば、テンポ情報など）は生成することがあるかも知れない。
【００４６】
図３は、この発明の一実施例における制御信号Ｃｓのフォーマット例を示す。制御信号Ｃｓには譜めくり信号Ｃｓ１及び機種ＩＤ信号Ｃｓ２があり、譜めくり信号Ｃｓ１は、図３〔１〕に示されるように、実体データとして曲ＩＤ情報Ｓｉ及び位置情報（小節番号）Ｂｎを含む制御データ（「譜めくり信号情報」と呼ばれる）Ｃｄを有し、この制御データＣｄにより音楽コンテンツ表示装置ＤＳにおける音楽コンテンツの表示を制御することができる。機種ＩＤ信号Ｃｓ２は、図３〔２〕に示されるように、実体データとして機種ＩＤ情報Ｋｉを含む制御データ（「機種ＩＤ信号情報」と呼ばれる）Ｃｄを有し、この制御データＣｄにより音楽コンテンツ表示装置ＤＳにおける機能実行プログラムの機能（乃至表示する音楽コンテンツの種類）を制御することができる。これらの制御信号Ｃｓつまり譜めくり信号Ｃｓ１乃至機種ＩＤ信号Ｃｓ２は、図３のフォーマット例では、ヘッダー情報Ｈｄ（１byte程度）、制御データＣｄ（２byte程度）及びフッター情報Ｆｔ（１byte程度）で構成され、ヘッダー情報Ｈｄは、この信号が制御信号Ｃｓであることを示す情報や制御データＣｄの長さが識別できる情報などを含み、制御データＣｄは、曲ＩＤ情報Ｓｉ（８ bit程度）及び位置情報Ｂｎ（８ bit程度）乃至機種ＩＤ情報Ｋｉ（８ bit程度）から成り、フッター情報Ｆｔは、制御データＣｄの終りを示す情報などを含む。
【００４７】
信号重畳部ＳＰ２は、制御信号生成部ＳＰ１からの制御信号Ｃｓを変調して再生部ＲＰからの楽音信号に重畳し、楽音信号に制御信号Ｃｓの変調成分が重畳された音声信号Ａｓを音声出力部１３に出力し、音声出力部１３はスピーカを通じてこの音声信号Ａｓを放音する。これにより、制御信号Ｃｓは、１８ｋＨｚほどの高い周波数帯域で送信される。なお、制御信号Ｃｓを送信する周波数帯域については、この周波数帯域に限らず、人に通常聴こえないような帯域であればよい。なお、制御信号Ｃｓを含まない音声信号Ａｓ（例えば、通常の演奏音など）が出力されることもある。
【００４８】
〔音楽コンテンツ表示装置（電子音響装置連携装置）の機能〕
この発明の一実施例による電子音響装置連携システム（音楽コンテンツ表示システム）において、音楽コンテンツ表示装置（電子音響装置連携装置）は、電子音楽装置（電子音響装置）からの制御信号を受信して所要の音楽コンテンツ（表示用曲対応データ）を用意したり表示する機能を備えている。図４及び図５は、この発明の一実施例における音楽コンテンツ表示装置の第１及び第２機能を表わすブロック図である。
【００４９】
この音楽コンテンツ表示装置（電子音響装置連携装置）ＤＳの記憶装置４に構築された記憶部ＳＴｄの音楽コンテンツ格納部には音楽コンテンツとして表示用曲対応データが格納され、プログラム格納部には、レイアウト切替え機能、印刷機能、ズーム切替え機能など、所定の機能を実行するための機能実行プログラムが格納される。なお、音楽コンテンツには、電子音楽装置（電子音響装置）ＥＭで利用される音楽コンテンツ（再生用曲データ）に対応して作成された楽譜データや曲ガイド用イラストデータ（曲の進行に対応してガイド用のイラストが紙芝居的に切り替えられるように作成されたもの）等、曲の進行に対応して画像が切り替えられていくような任意の表示用曲対応データを用いることができるが、以下の例では、楽譜データを用いる場合について説明する。
【００５０】
各音楽コンテンツ（楽譜データ）には、実体データとなる楽譜データの外に、曲名や作曲者名などの曲情報及び当該音楽コンテンツに特有のコンテンツ（楽譜）識別情報が含まれており、コンテンツ識別情報は、電子音楽装置ＥＭからの制御信号に含まれる曲ＩＤ情報（音楽コンテンツ特定情報）Ｓｉに対応付けられている。また、記憶部ＳＴｄに予め格納された利用可能な音楽コンテンツ（楽譜データ）は、電子音楽装置ＥＭに予め用意された利用可能な音楽コンテンツ（曲データ）のうち一部の音楽コンテンツ（曲データ）に対応したものである。なお、記憶部ＳＴｄには、例えば、格納された各音楽コンテンツ（楽譜データ）について、曲名（曲目）、コンテンツ識別情報、対応する曲ＩＤ（Ｓｉ）〔別に対応テーブルやプログラムが用意されている場合は不要〕及び利用可能性（利用可能／不可能）のレコードが格納情報として記憶されており、目次ボタンを操作すると、格納情報を参照して、そのときに格納されている利用可能な音楽コンテンツ（楽譜データ）の曲名（曲ＩＤを付けてもよい）を曲名（曲目）リストで一覧表示することができる。
【００５１】
また、音楽コンテンツ表示装置ＤＳは、復調部ＤＭ、判断部ＤＣ、情報抽出部ＥＸ及び表示制御部ＣＴｄを備え、これらの機能ブロックは主としてＣＰＵ１により実現される。音声入力部７は、電子音楽装置ＥＭのスピーカから発信された音声信号Ａｓをマイクを通じて受信し、受信した音声信号Ａｓを復調部ＤＭに入力する。復調部ＤＭは、入力された音声信号Ａｓから変調成分を取り出して制御信号Ｃｓに復調し、復調した制御信号Ｃｓを情報抽出部ＥＸ及び判断部ＤＣに出力する。ただし、制御信号Ｃｓが含まれない場合もあり、その場合は復調部ＤＭからの出力はない。制御信号Ｃｓ：Ｃｓ１，Ｃｓ２は、前述したように、電子音楽装置ＥＭで譜めくり制御ボタン或いは機種ＩＤ送信ボタンをオンしている間に（或いは、これに代わって、曲選択乃至曲再生スイッチなどのオン後、再生している間に）常時（０．５秒に一度）１８ｋＨｚほどの高い周波数帯域で送信されてくるディジタル信号であり（なお、機種ＩＤ信号Ｃｓ２は、常時送信されていなくてもよい）、譜めくり信号Ｃｓ１は、特に、楽譜をめくるように楽譜表示を自動的に切り替えるのに用いられる。
【００５２】
情報抽出部ＥＸは、復調部ＤＭで復調された制御信号Ｃｓが譜めくり信号Ｃｓ１の場合に、譜めくり信号Ｃｓ１から制御データＣｄ即ち曲ＩＤ情報Ｓｉ及び位置情報（小節番号）Ｂｎを抽出し、表示制御部ＣＴｄに出力する。情報抽出部ＥＸは、また、制御信号Ｃｓが機種ＩＤ信号Ｃｓ２の場合には、機種ＩＤ信号Ｃｓ２から制御データＣｄ即ち機種ＩＤ情報Ｋｉを抽出し、判断部ＤＣに出力することができる。表示制御部ＣＴｄは、判断部ＤＣから機能の利用可能状態化が指示されると、記憶部ＳＴｄから所要の機能実行プログラムを読み出し、読み出した機能実行プログラムに基づき実行可能な機能のうち、入力操作部５の操作で選択された機能を実行すると共に、曲ＩＤ情報Ｓｉに対応付けられた楽譜識別情報を参照することによって、曲ＩＤ情報Ｓｉに対応する音楽コンテンツ（楽譜データ）を特定し、特定した音楽コンテンツ（楽譜データ）を記憶部ＳＴｄから読み出し、さらに、位置情報（小節番号）Ｂｎに対応して表示すべき当該音楽コンテンツ（楽譜データ）の楽譜ページを決定し、決定された楽譜ページのデータを表示部６に送る。そして、表示部６は、表示制御部ＣＴｄから送られて来るデータが示す楽譜ページをディスプレイに表示する。
【００５３】
なお、情報抽出部ＥＸの機能を復調部ＤＭの機能に含め、復調部ＤＭ内で、譜めくり信号Ｃｓ１から曲ＩＤ情報Ｓｉ及び位置情報Ｂｎを抽出し、機種ＩＤ信号Ｃｓ２から機種ＩＤ情報Ｋｉを抽出するように、或いは、情報抽出部ＥＸの機能を表示制御部ＣＴｄの機能に含め、表示制御部ＣＴｄ内で、譜めくり信号Ｃｓ１から曲ＩＤ情報Ｓｉ及び位置情報Ｂｎを抽出し、機種ＩＤ信号Ｃｓ２から機種ＩＤ情報Ｋｉを抽出するようにしてもよい。
【００５４】
図６は、この発明の一実施例における表示画面の構成例を示し、この表示画面ＳＣは、タッチパネルで構成される。表示画面ＳＣの表示機能については、画面上部に位置する帯状のタイトルバー表示域には曲名（曲目）などが表示され、タイトルバー表示域の下に位置する帯状のツールバー表示域には、機能ボタンが配置される。例えば、ツールバー表示域の左端近傍に目次ボタンｔａが表示され、続いて、レイアウトボタンｙｔや印刷ボタンｐｒが配置され、右端近傍にはヘルプボタンｈｐが表示される。図示の例では、レイアウトボタンｙｔや印刷ボタンｐｒは、その機能が利用不可能な状態にあり、ダーク表示されて操作不能であることをユーザに知らせているが、機種ＩＤ信号Ｃｓ２の受信により、利用可能状態に変化してハイライト表示され操作可能となる。なお、目次ボタンｔａやヘルプボタンｈｐは、電子音楽装置ＥＭからの信号受信に拘わらず利用可能である。画面中央の主表示領域は、楽譜データに基づく所要の楽譜が表示される楽譜表示領域に割り当てられる。また、画面下部には、楽譜表示領域に現在表示されている楽譜のページ番号ｐｇ（図６では「１０」ページ）が中央に表示され、その右端近傍に制御信号ランプｓｔが表示される。例えば、ページ番号ｐｇにタッチするとスライダーが表示され、該当するページにジャンブすることができる。また、制御信号ランプｓｔは、制御信号Ｃｓ（譜めくり信号Ｃｓ１や機種ＩＤ信号Ｃｓ２）を受信する度に点灯して当該制御信号Ｃｓの受信状況を示す。操作機能については、ヘルプボタンｈｐをタッチ操作すると、ヘルプやバージョン情報などが主表示領域の一部又は全部に表示され、目次ボタンｔａをタッチ操作すると、記憶部ＳＴｄに格納されている利用可能な音楽コンテンツ（楽譜データ）の目次〔曲名（曲目）リスト〕が主表示領域に表示される。
【００５５】
なお、目次から所望の曲名を選択的に指示するタッチ操作を行うと、目次モードに移行し、対応する楽譜が表示される。目次モードでは、図示はしていないが、表示画面への所定のタッチ操作によって譜めくり動作を行うことができ、例えば、ページ番号ｐｇの右側へのタッチ操作で次ページの楽譜或いは左側へのタッチ操作で前ページの楽譜が表示される。従って、目次モードでは、ユーザは、電子音楽装置ＥＭにおける音楽コンテンツ（再生用曲データ）の再生状況に拘わらず、音楽コンテンツ表示装置ＤＳのディスプレイ画面（表示画面）ＳＣに楽譜を表示させ、表示された楽譜を見ながら、電子音楽装置ＥＭの演奏操作部１１の演奏操作で演奏を行うことができる。
【００５６】
この表示画面例ではツールバー上に各機能のボタンを配置したが、メニューバーで実現してもよい。メニューバーの場合、機能をグループ分けした項目を選択すると、機能を選択するためのプルダウンメニューが表示されるように構成しておくことにより、ユーザ操作に応じて、利用可能な機能の項目を選択し実行することができる。
【００５７】
さて、判断部ＤＣは、まず、復調部ＤＭで復調された制御信号Ｃｓから、音声入力部７で受信された信号が所定の受信条件を満たすものであるかどうかを判断する。この受信条件には、（１）制御信号Ｃｓを所定回数Ｎ受信した、（２）複数回にわたる制御信号Ｃｓの受信の間隔が１秒以内である、等々、この音楽コンテンツ表示装置ＤＳが従属する対象となる電子音楽装置ＥＭと通信可能な状態（制御信号Ｃｓを受けることができる状態）であることを確認することができる任意の条件を定めることができるが、以下に説明する例では、（１）の受信条件を採用する。この場合、例えば、Ｎ＝１に設定すると、制御信号Ｃｓを初めて受信したときに受信条件が満たされ、Ｎ＝１０に設定すると、制御信号Ｃｓを合計して或いは連続して１０回受信したときに受信条件が満たされることになる。なお、制御信号Ｃｓを受信したことは、復調部ＤＭにおける制御信号Ｃｓの出力状態を監視すればよいが、図４及び図５に括弧書きで示すように、情報抽出部ＥＸにおけるヘッダー情報Ｈｄの抽出状態を監視するようにしてもよい。
【００５８】
そして、この受信条件が満足されると、音楽コンテンツ表示装置ＤＳは、コンテンツ追加処理を行うと共に、判断部ＤＣから表示制御部ＣＴｄを通じて、記憶部ＳＴｄに記憶された機能実行プログラムにつき利用不可能状態のものを利用可能状態に更新する。この音楽コンテンツ表示装置ＤＳは、音楽コンテンツ表示プログラムを音楽コンテンツ（楽譜データ）と共に情報処理装置にインストールすることにより、音楽コンテンツ表示装置としての機能を実現するものであるが、このコンテンツ追加処理は、記憶部ＳＴｄにおける音楽コンテンツ（楽譜データ）の当初の格納状態の違いに応じて、次のような第１機能或いは第２機能を実行する。
（１）第１機能：電子音楽装置ＥＭに予め用意された利用可能な音楽コンテンツ（再生用曲データ）に対応する音楽コンテンツ（楽譜データ）であるにも拘わらず、音楽コンテンツ表示装置ＤＳの記憶部ＳＴｄに予め格納されていない音楽コンテンツ（楽譜データ）については、「追加の音楽コンテンツ」としてサーバＳＶから取得し、利用可能な音楽コンテンツ（楽譜データ）を記憶部ＳＴｄに追加する。
（２）第２機能：電子音楽装置ＥＭに予め用意された利用可能な音楽コンテンツ（再生用曲データ）に対応する音楽コンテンツ（楽譜データ）であり、音楽コンテンツ表示装置ＤＳの記憶部ＳＴｄに予め格納されているにも拘わらず、「利用不可能状態」である音楽コンテンツ（楽譜データ）については、「利用可能状態」に更新して「追加の音楽コンテンツ」とし、利用可能な音楽コンテンツ（楽譜データ）を追加する。
【００５９】
＜音楽コンテンツ表示装置の第１機能＞
この音楽コンテンツ表示装置ＤＳは、第１機能を実行する場合、図４に示すように、さらに追加取得部ＡＤ及び通信部ＣＭを備え、追加取得部ＡＤは主としてＣＰＵ１により実現され、通信部ＣＭは主として通信Ｉ／Ｆ８によって実現される。
【００６０】
第１機能が実行される場合、電子音楽装置ＥＭのデータ記憶部ＳＴｅには、ｐ個の利用（再生）可能な音楽コンテンツ（再生用曲データ）が予め用意されているのに対して、音楽コンテンツ表示装置ＤＳの記憶部ＳＴｄには、プリセット音楽コンテンツ（楽譜データ）として、ｐ個より少ないｒ個（ｐ＞ｒ≧０）の利用（表示）可能な音楽コンテンツ（楽譜データ）しか予め用意されていない。ここで、電子音楽装置ＥＭ側から、音楽コンテンツ（曲データ）の再生に従って、制御信号Ｃｓを含む音声信号Ａｓが音楽コンテンツ表示装置ＤＳに発信されると、音楽コンテンツ表示装置ＤＳは、判断部ＤＣで、受信した音声信号Ａｓについて受信条件を調べ、電子音楽装置ＥＭから制御信号Ｃｓを受信可能な状態であることを確認すると、コンテンツ追加処理Ａを行う。コンテンツ追加処理Ａでは、追加取得部ＡＤにより、電子音楽装置ＥＭに予め用意された利用可能な音楽コンテンツ（曲データ）に対応する利用可能な音楽コンテンツ（楽譜データ）であって、プリセット音楽コンテンツ（楽譜データ）ではない「ｐ−ｒ」個の利用（表示）可能な音楽コンテンツ（楽譜データ）が、サーバＳＶから通信部ＣＭを介して取得され、記憶部ＳＴｄに追加される。このように記憶部ＳＴｄに追加される「ｐ−ｒ」個の音楽コンテンツ（楽譜データ）が「追加の音楽コンテンツ（楽譜データ）」と呼ばれる。
【００６１】
つまり、判断部ＤＣは、音楽コンテンツ追加取得が可能かの判断を行い、前述の受信条件が満足されたことを確認したときは、追加取得部ＡＤに対して、上述した追加の音楽コンテンツをサーバＳＶから取得することを許可し、これを指示する。追加取得部ＡＤは、これに応じて、取得指示された追加の音楽コンテンツ（楽譜データ）を、サーバＳＶから通信部ＣＭを通じて取得し、記憶部ＳＴｄに追加記憶する。
【００６２】
このような音楽コンテンツ表示装置（電子音響装置連携装置）の第１機能を要約すれば次のとおりである：音楽コンテンツ表示装置ＤＳは、電子音楽装置（電子音響装置）ＥＭが音楽コンテンツ（曲データ）を再生するのに従属して楽譜データを表示するが、当初は、電子音楽装置ＥＭに予め用意されたｐ個の音楽コンテンツ（再生用曲データ）よりも少ないｒ個（ｐ＞ｒ≧０）のプリセット音楽コンテンツ（楽譜データ）しか用意されていない。この音楽コンテンツ表示装置ＤＳは、電子音楽装置ＥＭからの音声信号Ａｓを受信し（７，ＤＭ）、受信した音声信号Ａｓに含まれる制御信号Ｃｓを受信可能な状態である（受信条件を満たす）ことを確認すると、電子音楽装置ＥＭに用意されているｐ個の音楽コンテンツ（再生用曲データ）に対応しているがプリセット音楽コンテンツ（楽譜データ）ではない音楽コンテンツ（楽譜データ）を「追加の音楽コンテンツ」とし、その取得を許可する（ＤＣ）。これに応じて、許可された追加の音楽コンテンツ（楽譜データ）をサーバＳＶから取得し、記憶部ＳＴｄに追加記憶する（ＡＤ）。また、制御信号Ｃｓとして譜めくり信号Ｃｓ１を用いた場合、当該譜めくり信号Ｃｓ１から抽出された曲ＩＤ情報Ｓｉ及び位置情報（小節番号）Ｂｎを参照し（ＥＸ）、曲ＩＤ情報Ｓｉに対応する音楽コンテンツ（楽譜データ）を記憶部ＳＴｄから読み出し、位置情報（小節番号）Ｂｎに対応する楽譜をディスプレイ画面ＳＣに表示することができる（ＣＴｄ，６）。
【００６３】
＜音楽コンテンツ表示装置の第２機能＞
この音楽コンテンツ表示装置ＤＳは、第２機能を実行する場合、図５の機能ブロック図に示すように、判断部ＤＣによりコンテンツ追加処理Ｂを行い、記憶部ＳＴｄに当初から格納されている音楽コンテンツ（楽譜データ）の状態を更新する。
【００６４】
第２機能が実行される場合、電子音楽装置ＥＭのデータ記憶部ＳＴｅに予め用意されているｐ個の利用（再生）可能な音楽コンテンツ（再生用曲データ）に対応して、この音楽コンテンツ表示装置ＤＳの記憶部ＳＴｄにもｐ個の音楽コンテンツ（楽譜データ）が用意され、用意されたｐ個の音楽コンテンツ（楽譜データ）のうちｓ個（ｐ＞ｓ≧０）の音楽コンテンツ（楽譜データ）は音楽コンテンツ表示装置ＤＳで利用（表示）可能に設定されているが、残りの「ｐ−ｓ」個の音楽コンテンツ（楽譜データ）は利用（表示）不可能に設定されている。ここで、電子音楽装置ＥＭ側から、音楽コンテンツ（再生用曲データ）の再生に従い、制御信号Ｃｓを含む音声信号Ａｓが音楽コンテンツ表示装置ＤＳに発信されると、音楽コンテンツ表示装置ＤＳは、判断部ＤＣで、受信した音声信号Ａｓについて受信条件を調べ、電子音楽装置ＥＭから制御信号Ｃｓを受信可能な状態であることを確認すると、コンテンツ追加処理Ｂを行う。コンテンツ追加処理Ｂでは、判断部ＤＣにより、記憶部ＳＴｄに記憶されている音楽コンテンツ（楽譜データ）が利用可能状態か利用不可能状態かを判別し、利用不可能状態であることが確認された「ｐ−ｓ」個全ての音楽コンテンツ（楽譜データ）を利用（表示）可能状態に更新する。このように利用可能状態に更新された「ｐ−ｓ」個の音楽コンテンツ（楽譜データ）は、利用可能な「追加の音楽コンテンツ（楽譜データ）」ということができる。
【００６５】
つまり、判断部ＤＣは、利用可能化ができるかの判断を行い、前述の受信条件が満足されたことを確認したときは、記憶部ＳＴｄに記憶されている音楽コンテンツ（楽譜データ）が利用可能状態か利用不可能状態かを判別し、利用不可能状態であると確認した全ての音楽コンテンツ（楽譜データ）を利用可能状態に更新する。これにより、新たに利用（表示）可能になった音楽コンテンツ（楽譜データ）が記憶部ＳＴｄに追加される。
【００６６】
このような音楽コンテンツ表示装置の第２機能を要約すれば次のとおりである：音楽コンテンツ表示装置（電子音響装置連携装置）ＤＳは、電子音楽装置（電子音響装置）ＥＭが音楽コンテンツ（曲データ）を再生するのに従属して楽譜データを表示するために、対応する音楽コンテンツ（楽譜データ）が記憶部ＳＴｄに用意されているが、当初は、電子音楽装置ＥＭに予め用意されたｐ個の音楽コンテンツ（再生用曲データ）よりも少ないｓ個（ｐ＞ｓ≧０）の音楽コンテンツ（楽譜データ）が利用可能に設定されており、残りの「ｐ−ｓ」個の音楽コンテンツ（楽譜データ）は利用不可能に設定されている。この音楽コンテンツ表示装置ＤＳは、電子音楽装置ＥＭから音声信号Ａｓを受信し（７，ＤＭ）、受信した音声信号Ａｓに含まれる制御信号Ｃｓを受信可能な状態である（受信条件を満たす）ことを確認すると、残りの「ｐ−ｓ」個の音楽コンテンツ（楽譜データ）を全て利用不可能から利用可能の状態に更新する（ＤＣ）。また、制御信号Ｃｓが譜めくり信号Ｃｓ１の場合、譜めくり信号Ｃｓ１から抽出された曲ＩＤ情報Ｓｉ及び位置情報（小節番号）Ｂｎを参照し（ＥＸ）、曲ＩＤ情報Ｓｉに対応する音楽コンテンツ（楽譜データ）を記憶部ＳＴｄから読み出し、位置情報（小節番号）Ｂｎに対応する楽譜をディスプレイ画面ＳＣに表示することができる（ＣＴｄ，６）。
【００６７】
なお、判断部ＤＣは、記憶部ＳＴｄ内の全音楽コンテンツを利用可能状態に更新する指示を出すようにしてもよい。或いは、情報抽出部ＥＸにおいて機種ＩＤ信号Ｃｓ２から機種ＩＤ情報Ｋｉが抽出された場合、記憶部ＳＴｄ内のコンテンツのうち、この機種ＩＤ情報Ｋｉに対応するコンテンツを利用可能状態に更新する指示を出すようにしてもよい。
【００６８】
〔電子音響装置連携処理（音楽コンテンツ表示処理）の動作例〕
図７〜図１１は、この発明の一実施例による電子音響装置連携処理（音楽コンテンツ表示処理）のフローチャートを示す。この電子音響装置連携処理（音楽コンテンツ表示処理）では、制御信号Ｃｓとして専ら譜めくり信号Ｃｓ１が用いられる。なお、図９のステップＰ１ブロック内右上の「※１」は、第２機能を実行する場合は省略可能であることを示し、図９のステップＰ２及び図１０のステップＱ３，Ｑ５のブロック内右上の「※２」は、第１機能を実行する場合は省略可能であることを示す。
【００６９】
図７において、この音楽コンテンツ表示装置ＤＳの電源をオンするか或いは音楽コンテンツ表示プログラム（電子音響装置連携処理プログラム）を起動し、音楽コンテンツ表示処理がスタートすると、ＣＰＵ１は、まず、ステップＳ１で、（１）予め定められた所定の初期画面、或いは、（２）デフォルト曲か前回の音楽コンテンツ表示処理で最後に表示していた曲の楽譜（音楽コンテンツ）をディスプレイ画面ＳＣに表示する。次のステップＳ２では、変数「現在の曲ＩＤ」の値を、（１）予め定められた所定の値（曲ＩＤ情報Ｓｉに存在しない値、例えば「−」：初期画面表示の場合）、或いは、（２）表示されている楽譜に対応する曲の曲ＩＤ情報Ｓｉとし、更に次のステップＳ３で初期設定を行う。ここで、電子音楽装置ＥＭに用意されている音楽コンテンツ（曲データ）の曲ＩＤと、これに対応する記憶部ＳＴｄ内の音楽コンテンツ（楽譜データ）の曲ＩＤとが異なる場合、どちらの曲ＩＤを使って表示制御を行ってもよい。「現在の曲ＩＤ」は、表示すべき楽譜を示す変数である。また、ステップＳ３の初期設定では、例えば、譜めくり信号受信カウントを「０」に設定し、目次モードをオフに設定し、機能フラグをリセットする。
【００７０】
次のステップＳ４では、終了操作があったか否かを判定し、終了操作がないときは（Ｓ４＝ＮＯ）ステップＳ５に進んで、譜めくり信号Ｃｓを受信したか否かを判定する。
【００７１】
ステップＳ５で譜めくり信号Ｃｓを受信したと判定したときは（Ｓ５＝ＹＥＳ）、ステップＳ６に進み、追加の音楽コンテンツを取得済みか否か乃至機能を利用可能化済みか否かを判定する。この場合、追加の音楽コンテンツを取得したときに（Ｓ１０：図８）コンテンツ取得済みフラグを立てるようにしておき、このフラグを参照することによりこの取得済み判定を行うことができる。或いは、記憶部ＳＴｄの格納状態を参照して判定する方法でもよい。また、機能の利用可能化済は機能フラグのセット状態で判定する。ここで、追加の音楽コンテンツを取得済みでないとき或いは機能を利用可能化済みでないときは（Ｓ６＝ＮＯ）、ステップＳ７に進み、譜めくり信号受信カウントの値を１プラスし、更にステップＳ８で、譜めくり信号受信カウントは所定回数Ｎ（Ｎ：１以上の整数）以上であるか否かを判定する。ステップＳ７，Ｓ８におけるカウント値の加算及び判定は、譜めくり信号Ｃｓを所定回数Ｎ受信すると追加取得を行う判定ルールを設定した場合に行われ、他の判定ルールを設定した場合は、設定された判定ルールに則した処理が行われる〔判定ルールの設定：Ｓ１９（図８）〕。ここで、該カウントが回数Ｎ以上のときは（Ｓ８＝ＹＥＳ）、受信条件を満たしたものと判断し、ステップＳ９で機能フラグをセットした上、ステップＳ１０（図８）に進み、図９に示される「コンテンツ追加処理」を行う。
【００７２】
このコンテンツ追加処理（図９参照）では、第１機能のみを実行する場合、譜めくり信号受信カウントが回数Ｎ以上と判定したときに（Ｓ８＝ＹＥＳ）サーバＳＶからの追加の音楽コンテンツの取得を許可（決定）し、ステップＰ１のコンテンツ追加処理Ａを行い、ステップＰ２をスルーする。つまり、ステップＰ１の第１ステップＰ１ａで、サーバＳＶに対し追加取得指示を送信し、第２ステップＰ１ｂで、サーバＳＶから追加の音楽コンテンツをダウンロードし、第３ステップＰ１ｃで、ダウンロードした追加の音楽コンテンツを記憶部ＳＴｄに保存する。
【００７３】
一方、第２機能のみを実行する場合は、ステップＰ１をスルーし、ステップＰ２に進んで、コンテンツ追加処理Ｂとして、ステップＰ２ａ，Ｐ２ｂ，Ｐ２ｃの何れかの処理を行う〔どの処理（組合せも有り）を行うかは、初期設定で決まっていてもよいし、設定変更可能であってもよい〕。つまり、ステップＰ２ａにおける第１のコンテンツ追加処理Ｂでは、記憶部ＳＴｄ内の全ての音楽コンテンツを利用可能状態に更新し、ステップＰ２ｂにおける第２のコンテンツ追加処理Ｂでは、まず、＜１＞記憶部ＳＴｄの各音楽コンテンツについて利用可能状態であるか否かを調べ、次に、＜２＞利用不可能状態であれば利用可能状態に更新する。また、ステップＰ２ｃにおける第３のコンテンツ追加処理Ｂでは、機種ＩＤ信号Ｃｓ２を受信済みの場合、機種ＩＤ信号Ｃｓ２に重畳された機種ＩＤ情報Ｋｉに応じた音楽コンテンツを記憶部ＳＴｄから探し出して利用可能状態に更新する。この場合、機種ＩＤ情報Ｋｉと音楽コンテンツの対応情報が別に記憶されていれば、これを参照する。また、音楽コンテンツ側に対応機種ＩＤ情報が記憶されている場合は、記憶部ＳＴｄ内の各音楽コンテンツについて機種ＩＤに対応する音楽コンテンツかどうか調べ、対応する音楽コンテンツであれば利用可能状態に更新する。
【００７４】
そして、ステップＰ１乃至ステップＰ２の処理を終えると、追加の音楽コンテンツが取得済みか否かの判定（Ｓ６：図７）をフラグの参照で行う場合はコンテンツ取得済みフラグをオンにした上で、そうでない場合（フラグの参照でない方法の場合）は直ちに、このコンテンツ追加処理を終了し、コンテンツ表示処理フロー（図８）のステップＳ１１にリターンする。
【００７５】
さて、ステップＳ６（図７）で追加の音楽コンテンツを取得済み乃至機能を利用可能化済みであると判定したとき（Ｓ６＝ＹＥＳ）、ステップＳ８で譜めくり信号受信カウントの値が回数Ｎ未満であると判定したとき（Ｓ８＝ＮＯ）、或いは、ステップＳ１０のコンテンツ追加処理（図８）を終えたときは、ステップＳ１１〜Ｓ１２に進む。まず、ステップＳ１１では譜めくり信号Ｃｓから曲ＩＤ情報Ｓｉを抽出し、次のステップＳ１２では譜めくり信号Ｃｓから位置情報Ｂｎを抽出する。ここで、位置情報Ｂｎには、例えば、小節番号やページなどが使用される。位置情報Ｂｎを抽出した後はステップＳ１３に進む。
【００７６】
ステップＳ１３では、目次モードはオフに設定されているか否かを判定し、オフに設定されているときは（Ｓ１３＝ＹＥＳ）、ステップＳ１４において、ステップＳ１１で抽出された曲ＩＤ情報Ｓｉの値が現在の曲ＩＤと一致するか否かを判定する。ここで、曲ＩＤ情報Ｓｉが現在の曲ＩＤに一致しないときは（Ｓ１４＝ＮＯ）ステップＳ１５に進んで、図１０に示される「コンテンツ読出し表示処理」を行う。
【００７７】
このコンテンツ読出し表示処理（図１０参照）では、最初のステップＱ１で、記憶部ＳＴｄから、ステップＳ１１（図８）で抽出された曲ＩＤ情報Ｓｉに対応する音楽コンテンツ（楽譜データ）を検索し、次のステップＱ２で、対応する音楽コンテンツ（楽譜データ）が格納されているか否かを判定する。ここで、対応する音楽コンテンツが格納されているときは（Ｑ２＝ＹＥＳ）、ステップＱ３で、対応する音楽コンテンツ（楽譜データ）は利用可能状態であるか否かを判定する。ここで、利用可能状態であるときは（Ｑ３＝ＹＥＳ）、ステップＱ４にて、同音楽コンテンツ（楽譜データ）を読み出し、ステップＳ１２（図８）で抽出された位置情報Ｂｎに合わせて楽譜を画面ＳＣに表示すると共に、現在の曲ＩＤを、当該音楽コンテンツ（楽譜データ）に対応する曲ＩＤとする。また、利用不可能状態であるときは（Ｑ３＝ＮＯ）、ステップＱ５にて、同音楽コンテンツ（楽譜データ）は利用することができない旨のメッセージを画面ＳＣに表示する。
【００７８】
なお、第１機能のみを実行する場合は、ステップＱ３をスルーして直ちにステップＱ４に進み、ステップＱ５の処理は行わない。すなわち、対応する音楽コンテンツが格納されているときには（Ｑ２＝ＹＥＳ）、直ちに、ステップＱ４の動作をする。また、ステップＱ２で、対応する音楽コンテンツが格納されていないときは（Ｑ２＝ＮＯ）、ステップＱ６に進み、対応する音楽コンテンツ（楽譜データ）が用意されていない（見つからなかった）旨のメッセージを画面ＳＣに表示する。そして、ステップＱ４〜Ｑ６の何れかの処理を終えると、このコンテンツ読出し表示処理を終了し、コンテンツ表示処理フロー（図８）のステップＳ１７（図８）にリターンする。
【００７９】
図８に戻り、ステップＳ１４において、ステップＳ１１で抽出された曲ＩＤ情報Ｓｉが現在の曲ＩＤに一致していると判定したときは（Ｓ１４＝ＹＥＳ）、ステップＳ１６に進み、画面ＳＣに表示されている楽譜を、ステップＳ１２で抽出された位置情報Ｂｎに応じた表示に更新する。そして、ステップＳ５（図７）で譜めくり信号Ｃｓを受信していないと判定したとき（Ｓ５＝ＮＯ）、ステップＳ１３で目次モードがオンに設定されていると判定したとき（Ｓ１３＝ＮＯ）、或いは、ステップＳ１５，Ｓ１６の何れかの処理を終えたときは、ステップＳ１７に進む。ステップＳ１７では、目次表示の指示〔例えば、目次ボタンｔａ（図６）による〕を受け付けたか否かを判定し、受け付けたときは（Ｓ１７＝ＹＥＳ）、ステップＳ１８に進み、図１１に示される「目次からの表示処理」を行う。
【００８０】
この目次からの表示処理（図１１参照）では、最初のステップＲ１で目次（曲名リスト）をディスプレイ画面ＳＣに表示し、次のステップＲ２で、目次に表示された複数の曲名から所望の曲名を選択し指示する曲名選択指示を受け付けたか否かを判定する。ここで、曲名選択指示を受け付けたときは（Ｒ２＝ＹＥＳ）、ステップＲ３で目次モードをオン（譜めくり信号とは独立した楽譜表示）に設定して目次の表示を閉じて、ステップＲ４に進み、選択された曲名の音楽コンテンツ（楽譜データ）に対応する曲ＩＤ（選択曲の曲ＩＤという）が現在の曲ＩＤと一致するか否かを判定する。ここで、選択曲の曲ＩＤが現在の曲ＩＤに一致しないときは（Ｒ４＝ＮＯ）、ステップＲ５で、記憶部ＳＴｄから、曲ＩＤに対応する音楽コンテンツ（楽譜データ）を検索し読み出してその楽譜を表示すると共に、現在の曲ＩＤを選択曲の曲ＩＤとし、その後、この目次からの表示処理を終え、コンテンツ表示処理フローのステップＳ１９（図８）にリターンする。
【００８１】
一方、選択曲の曲ＩＤが現在の曲ＩＤに一致したときは（Ｒ４＝ＹＥＳ）、曲ＩＤに対応する音楽コンテンツ（楽譜データ）による楽譜は既に表示されているので、そのまま、この目次からの表示処理を終え、コンテンツ表示処理フロー（図８）のステップＳ１９（図８）にリターンする。また、ステップＲ２で、曲名選択指示を受け付けなかったときは（Ｒ２＝ＮＯ）、ステップＲ６で、目次を閉じる指示を受け付けたか否かを判定し、目次を閉じる指示を受け付けなかったときは（Ｒ６＝ＮＯ）、ステップＲ２に戻って曲名選択指示の受付けを待つ。ここで、曲名選択指示を受け付けたときは（Ｒ２＝ＹＥＳ）、前述したステップＲ３〜Ｒ５の処理を行うが、曲名選択指示の受付けがなく、目次を閉じる指示を受け付けたときは（Ｒ６＝ＹＥＳ）、ステップＲ７で目次モードをオフにして目次を閉じ、その後、この目次からの表示処理を終え、コンテンツ表示処理フローのステップＳ１９（図８）にリターンする。
【００８２】
再び図８に戻って、ステップＳ１７で目次表示指示の受付けはないと判定したとき（Ｓ１７＝ＮＯ）、或いは、ステップＳ１８の目次からの表示処理を終えたときは、ステップＳ１９でその他の処理を行う。その他の処理では、目次モードのオン／オフ設定切替え（例えば、目次モードをオンにして目次から選んだ楽譜を表示している状態から、目次モードをオフにし、目次を表示せずに譜めくり信号による楽譜表示に切り替えたいときなど）や、表示画面ＳＣの調整、ステップＳ７，Ｓ８における受信条件判定ルールの設定などを行う。また、「機能フラグ」がセットされていれば、機能実行プログラムによる各機能が利用可能な状態になったと判断し、利用可能状態となった各機能につき、ユーザ操作による選択を受け付けて実行される。つまり、図６の表示画面ＳＣの例では、印刷ボタンｐｒ及びレイアウトボタンｙｔがハイライト表示され、これまで利用不可能状態であった「印刷」及び「レイアウト」機能が利用可能となる。これにより、例えば、印刷ボタンｐｒが操作された場合は、印刷ダイアログを表示し、これに対してユーザ操作があると、印刷出力部に接続されたプリンタにユーザ操作に対応した楽譜を印刷させ、レイアウトボタンｙｔが操作された場合は、ページ数ダイアログを表示し、これに対してユーザの選択操作があると、選択されたページ数の楽譜を表示画面ＳＣに同時に表示する。
【００８３】
ステップＳ１９でその他の処理を終えると、ステップＳ４に戻り、上述したステップＳ４〜Ｓ１９の処理を繰り返す。そして、ステップＳ４で終了操作があったと判定したときに（Ｓ４＝ＹＥＳ）、この音楽コンテンツ表示処理を終了する。
【００８４】
以上説明した電子音響装置連携処理（音楽コンテンツ表示処理）では、ステップＳ５，Ｓ７，Ｓ８で受信条件を判断するための制御信号Ｃｓとして譜めくり信号Ｃｓ１を用いたが、譜めくり信号Ｃｓ１を利用した音楽コンテンツの読出し表示（ステップＳ１１〜Ｓ１６）を行わない場合は、制御信号Ｃｓとして機種ＩＤ信号Ｃｓ２を用いて受信条件を判断するようにしてもよい。
【００８５】
〔音楽コンテンツの表示に関する種々の実施態様及び補足事項〕
以上、図面を参照しつつ、この発明による電子音響装置連携システムの一実施例として音楽コンテンツ表示システムについて説明したが、これに限らず、種々の変更が可能であり、種々の利便性が得られる。例えば、楽譜データの音楽コンテンツについては、１つの曲乃至曲データに対して複数種類（例えば、電子音楽装置ユーザの演奏レベルに対応したもの）用意されていてもよい。音楽コンテンツの楽譜データは、楽譜論理データや楽譜画像データなどの形式があり、楽譜論理データの場合は、表示の際に楽譜論理データを元に楽譜表示データを生成する。
【００８６】
電子音楽装置から受信する音声信号に重畳される制御信号（Ｃｓ）には、最低限、曲ＩＤのように、表示する音楽コンテンツを特定することができる情報が入っていれば表示することができる。また、制御信号が重畳されている音声信号は、既述のように、電子音楽装置（電子楽器）のスピーカから１８ｋＨｚ程度のデジタル信号であり、音楽コンテンツ表示装置の内蔵マイクで受信するが、周波数帯域については、人に通常聴こえなければよく、調整可能であってもよい。
【００８７】
ユーザが、音楽コンテンツ（再生用曲データ）が用意された電子音楽装置（電子楽器）を、音楽コンテンツ表示プログラム及び一部が利用不可能状態の音楽コンテンツ（楽譜データや曲ガイド用イラストデータ等の表示用曲対応データ）と共に購入した場合、音楽コンテンツ表示装置側で、電子音楽装置で再生される音楽コンテンツ（曲データ）に対応する利用不可能状態の音楽コンテンツ（表示用曲対応データ）を追加で利用可能状態に更新することで、ユーザが購入した電子音楽装置に内蔵される全ての音楽コンテンツ（曲データ）に対応する音楽コンテンツ（表示用曲対応データ）を表示させることができるという付加価値を向上させることができる。また、音楽コンテンツ（楽譜データなどの表示用曲対応データ）のセキュリティも保証される。
【００８８】
実施例では、譜めくり信号に含まれる音楽コンテンツを特定する曲ＩＤ情報が示す音楽コンテンツ（楽譜）を表示することができる。また、音楽コンテンツ表示装置上におけるユーザの選択操作により選択された音楽コンテンツ（楽譜）を表示することもできる。
【００８９】
音楽コンテンツ表示装置が利用不可能状態の音楽コンテンツを利用可能状態に更新するのは、譜めくり信号を最初に受信したときでもよいが、譜めくり信号の送信側である電子音楽装置としばらく通信状態であることが最初に確認できたとき（例えば、秒数などの時間や信号の受信回数など）でもよい。
【００９０】
記憶される各音楽コンテンツ（楽譜データ）がそれぞれ利用可能状態か判別するためには、各音楽コンテンツに利用可能状態フラグ情報を持たせるのがよい。或いは、拡張子を利用可能状態かどうかによって変えて記憶していてもよい。または、表示されない（ユーザに見えない）テーブルを持ち、各音楽コンテンツについて利用可能状態かどうかの情報を記録しておいてもよい。若しくは、初期状態で利用不可能状態となる音楽コンテンツは全て暗号化されており、電子音楽装置からの制御信号（譜めくり信号）の受信により自動的に復号化され記憶されるようにしてもよい。単純に初期状態で利用不可能な音楽コンテンツをあるフォルダにまとめておき、電子音楽装置からの信号の受信により、音楽コンテンツをフォルダから適切な位置に移動させるようにしてもよい。
【００９１】
電子音楽装置から受信する信号は、制御信号が重畳された音声信号であると説明したが、例えば、電子音楽装置に内蔵されるデモ曲の再生出力を数小節分受信して分析し、音楽コンテンツ表示装置側でデモ曲であることが認識できたときに、利用不可能状態の音楽コンテンツを利用可能に更新するようにしてもよい。
【００９２】
第１機能のみを実行する場合及び第２機能のみを実行する場合について具体的に説明したが、各場合の手法を併用することにより、第１機能及び第２機能を併せて実行することができる。例えば、電子音楽装置には、ｐ個の利用可能な音楽コンテンツ（再生用曲データ）が予め用意されているのに対して、音楽コンテンツ表示装置には、ｐ個より少ないｑ個（ｐ＞ｑ）の音楽コンテンツ（表示用曲対応データ）が予め用意されており、ｑ個のうち、ｓ個が利用可能状態に、残りの「ｑ−ｓ」個が利用不可能状態に設定されている場合は、電子音楽装置との通信可能状態を確認したとき、音楽コンテンツ表示装置に予め用意されていない「ｐ−ｑ」個の利用可能な音楽コンテンツ（表示用曲対応データ）をサーバから取得すると共に、利用不可能状態に設定されている「ｑ−ｓ」個の音楽コンテンツ（表示用曲対応データ）を利用可能状態に更新する。
【００９３】
〔別の電子音響装置連携処理〕
この発明の一実施例による別の電子音響装置連携処理では、機種ＩＤ信号の受信により所定の音楽コンテンツ及び機能を利用可能とすることができる。図１２〜図１４は、この発明の一実施例による別の電子音響装置連携処理を説明するための図である。この発明の一実施例による電子音響装置連携装置ＤＳは、別の電子音響装置連携処理を実行する場合、受信条件を判断するための制御信号Ｃｓとして機種ＩＤ信号Ｃｓ２を用い、受信条件が成立したと判断すると、機種ＩＤ信号Ｃｓ２が示す機種ＩＤ情報Ｋｉに対応する音楽コンテンツ及び機能を利用可能とする。これにより、例えば、上級モデルなどの電子音響装置ＥＭの機種のランクに応じて段階的に音楽コンテンツや機能を利用可能状態にしたり、電子音響装置ＥＭから特定の機種ＩＤ情報Ｋｉを受信したときに、この電子音響装置ＥＭに固有の音楽コンテンツや機能を利用可能状態にすることができる。
【００９４】
別の電子音響装置連携処理においては、連携する電子音響装置ＥＭの機種ランクを示すための変数：ＳＴＡＴＥが利用され、電子音響装置連携装置ＤＳの記憶装置４の記憶部ＳＴｄには、現在のＳＴＡＴＥ値が電子音響装置ＥＭの種別〔機種ＩＤ或いは系列（シリーズともいう）〕に対応付けて保存され、電子音響装置連携プログラムのインストール時はＳＴＡＴＥ値＝「０」である。また、記憶部ＳＴｄには、電子音響装置ＥＭの機種ランク（ＳＴＡＴＥ）と機能及び音楽コンテンツとを対応付けた「機能及びコンテンツ対応テーブルＴｋ」が電子音響装置ＥＭの系列（シリーズ）毎に記憶される。プログラム実行時には、この対応テーブルＴｋに従って、保存されたＳＴＡＴＥ値に対応する音楽コンテンツ及び機能を利用することができ、その際、電子音響装置ＥＭから機種ＩＤ信号Ｃｓ２を受信すると、機種ＩＤ信号Ｃｓ２から抽出された機種ＩＤ情報Ｋｉにより電子音響装置ＥＭの機種ランクが認識されたときに、認識された機種ランクに相当するＳＴＡＴＥ値に対応した音楽コンテンツ及び機能を利用可能とすることができる。プログラム終了時は、当該電子音響装置ＥＭの機種ランクに相当するＳＴＡＴＥ値が、電子音響装置ＥＭの種別に対応付けて保存される。そして、次のプログラム実行時には、保存されたＳＴＡＴＥ値に対応する音楽コンテンツ及び機能を利用することができ、上位機種の電子音響装置ＥＭから機種ＩＤ信号Ｃｓ２を受信すると、対応するＳＴＡＴＥ値に更新される。
【００９５】
図１２は、Ａ系列の電子音響装置ＥＭの機種ランクに関する機能及びコンテンツ対応テーブルＴｋの例を示す。ここで、Ａ系列（Ａシリーズ）の電子音響装置ＥＭには、機種ＩＤ値＝「ＸＸＸ０１」の普及モデルと機種ＩＤ値＝「ＸＸＸ０２」の上級モデルがあるものとする（Ｘは数値）。図１２の機能及びコンテンツ対応テーブルＴｋには３段階の機種ランクがあり、第１ランクの最上欄は、未だ機種ＩＤ信号Ｃｓ２を受信していないプログラムインストール時の初期状態〔機種ＩＤ＝「−」（データ無し）〕を示しており、ＳＴＡＴＥ値は「０」である。そして、ＳＴＡＴＥ＝「０」では、表示画面ＳＣ（図６参照）において「目次」及び「ヘルプ」ボタンｔａ，ｈｐの機能が利用可能であり、コンテンツ記号：「Ａ−００１」〜「Ａ−０１０」の音楽コンテンツが利用可能である。
【００９６】
第２ランクの中欄は、その後、普及モデルの電子音響装置ＥＭの機種レベルに対応する状態を示しており、機種ＩＤ値は「ＸＸＸ０１」、ＳＴＡＴＥ値は「１」である。ＳＴＡＴＥ＝「１」では、表示画面ＳＣにおいて、「目次」、「ヘルプ」、「印刷」及び「レイアウト」ボタンｔａ，ｈｐ，ｐｒ，ｙｔの機能が利用可能であるが、「レイアウト」については、表示画面ＳＣの楽譜表示領域に同時に表示するページ数を１ページ／２ページの２段階に切り替える機能が利用可能状態になり、コンテンツ記号：「Ａ−０１１」〜「Ａ−１００」の音楽コンテンツが利用可能である。
【００９７】
第３ランクの最下欄は、さらに、上級モデルの電子音響装置ＥＭの機種レベルに対応する状態を示しており、機種ＩＤ＝「ＸＸＸ０２」、ＳＴＡＴＥ＝「２」であり、表示画面ＳＣにおいては、「目次」乃至「レイアウト」ボタンｔａ〜ｙｔの機能がフルに利用可能であり（「レイアウト」については同時表示ページ数を１ページ／２ページ／４ページの３段階に切り替える機能が利用可能）、コンテンツ記号：「Ａ’−０１１」〜「Ａ’−１００」を持つ新バージョンの音楽コンテンツが利用可能である。
【００９８】
図１２のような機能及びコンテンツ対応テーブルＴｋは、同様に、他の系列の電子音響装置についても用意される。なお、機能及びコンテンツ対応テーブルＴｋの機種ランクについては、機種ＩＤの上位桁「ＸＸＸ」だけを識別してＡ系列の電子音響装置ＥＭと判断し、Ａ系列の電子音響装置ＥＭ用の音楽コンテンツと機能（図１２最下欄）が全て利用可能状態になるように、２段階の機種ランク（最上欄と最下欄）を構成してもよいし、機種ランクを３段階以上にし、ＳＴＡＴＥ値が、「０」，「１」，「２」，「３」，…の何れかに設定されるように構成してもよい。
【００９９】
図１３及び図１４は、この発明の一実施例による別の電子音響装置連携処理のフローチャートを示す。なお、このフローチャートでは、動作説明を簡単にするために、譜めくり信号Ｃｓ１の受信による動作が省略されている。図１３において、この電子音響装置連携装置ＤＳの電源をオンするか或いは「別の電子音響装置連携処理プログラム」を起動し、「別の電子音響装置連携処理」がスタートすると、ＣＰＵ１は、最初のステップＴ１で、初期画面、或いは、デフォルト曲又は最後に表示していた曲の音楽コンテンツ（楽譜）を、表示部６の表示画面ＳＣ（図６参照）上に表示する。この画面では、ツールバー上の「目次」ボタンｔａ及び「ヘルプ」ボタンｈｐは、選択可能を示す表示態様で表示され、「印刷」ボタンｐｒ及び「レイアウト」ボタンｙｔは、選択不可能を示す表示態様で表示される。また、現在のＳＴＡＴＥ値は、「０」，「１」，「２」の何れかに設定され、ＳＴＡＴＥは、電子音響装置ＥＭの種別〔機種ＩＤ或いは系列（シリーズ）〕に対応付けて記憶部ＳＴｄに記憶されている。
【０１００】
次のステップＴ２では、現在のＳＴＡＴＥ値が「０」であるか否かを判定し、ＳＴＡＴＥ値が「０」でないときは（Ｔ２＝ＮＯ）、ステップＴ３で、表示画面ＳＣのツールバー上に位置する「印刷」ボタンｐｒ及び「レイアウト」ボタンｙｔを、選択可能を示す表示態様に変更する。ＳＴＡＴＥ値＝「０」のとき（Ｔ２＝ＹＥＳ）或いはステップＴ３の表示態様変更処理の後は、ステップＴ４に進んで、終了操作があったか否かを判定し、終了操作がないときは（Ｔ４＝ＮＯ）ステップＴ５に進む。ステップＴ５では、機種ＩＤ信号Ｃｓ２を、所定の受信条件を満足しつつ（図７：Ｓ５＝ＹＥＳ→Ｓ７→Ｓ８＝ＹＥＳと同様）、受信したか否かを判定し、所定の受信条件で受信したときは（Ｔ５＝ＹＥＳ）、ステップＴ６に進み、図１４に示される「コンテンツ及び機能追加処理」を行う。
【０１０１】
このコンテンツ及び機能追加処理（図１４参照）では、最初のステップＹ１において、機種ＩＤ信号Ｃｓ２から機種ＩＤ情報Ｋｉを抽出し、次のステップＹ２で、この電子音響装置連携装置ＤＳが、抽出した機種ＩＤ情報Ｋｉに該当する電子音響装置ＥＭに対応しているか否か、つまり、当該電子音響装置ＥＭに対応した機能及びコンテンツ対応テーブルＴｋが用意されているか否かを判定し、該当する機能及びコンテンツ対応テーブルＴｋが用意されていないときは（Ｙ２＝ＮＯ）、このコンテンツ及び機能追加処理を直ちに終了し、別の電子音響装置連携処理（図１３）のステップＴ７にリターンする。
【０１０２】
一方、該当する機能及びコンテンツ対応テーブルＴｋが用意されているときは（Ｙ２＝ＹＥＳ）、ステップＹ３に進み、抽出した機種ＩＤ情報Ｋｉが、現在のＳＴＡＴＥに対応付けられている電子音響装置ＥＭの種別に含まれるか否かを判定し、含まれるときは（Ｙ３＝ＹＥＳ）、ステップＹ４で、抽出した機種ＩＤ情報Ｋｉに基づくＳＴＡＴＥ値が現在のＳＴＡＴＥ値より大きいか否かを判定する。ここで、機種ＩＤ情報Ｋｉに基づくＳＴＡＴＥ値が現在のＳＴＡＴＥ値以下のときは（Ｙ４＝ＮＯ）、このコンテンツ及び機能追加処理を終了し、別の電子音響装置連携処理（図１３）のステップＴ７にリターンする。
【０１０３】
ステップＹ３で、抽出した機種ＩＤ情報Ｋｉが、現在のＳＴＡＴＥに対応付けられている電子音響装置ＥＭの種別に含まれないと判定したとき（Ｙ３＝ＮＯ）、或いは、ステップＹ４で、機種ＩＤ情報Ｋｉに基づくＳＴＡＴＥ値が現在のＳＴＡＴＥ値を超えると判定したときには（Ｙ４＝ＹＥＳ）、ステップＹ５〜Ｙ８に順次に進む。まず、ステップＹ５では、現在のＳＴＡＴＥを、機種ＩＤ情報Ｋｉに対応するＳＴＡＴＥに更新し、次のステップＹ６で、機能及びコンテンツ対応テーブルＴｋに従って、記憶部ＳＴｄに記憶されている音楽コンテンツの中で、抽出した機種ＩＤ情報に対応する音楽コンテンツを利用可能状態に更新する。なお、仕様によっては、ＳＴＡＴＥ値が大きくなった場合、既に利用可能状態になっていたバージョン違いの音楽コンテンツ（「Ａ−０１１」など）を利用不可能状態にしてもよい（「Ａ’−０１１」などのＡ’系を利用可能状態にする）。更に次のステップＹ７では、機種ＩＤ情報Ｋｉに対応する各機能の表示画面ＳＣ上のボタンを選択可能を示す表示態様に更新し、続いて、ステップＹ８において、表示画面ＳＣ上で機種ＩＤ情報Ｋｉに対応しない機能のボタンが、選択可能を示す表示態様になっていた場合は、選択不可能を示す表示態様に更新する。そして、このコンテンツ及び機能追加処理を終了し、別の電子音響装置連携処理（図１３）のステップＴ７にリターンする。
【０１０４】
ステップＴ６のコンテンツ及び機能追加処理を終了すると、ステップＴ７に進んで、各機能を実行すべき旨の指示を受け付けたか否かを判定し、各機能の実行指示を受け付けたときは（Ｔ７＝ＹＥＳ）、ステップＴ８で、指示を受け付けた機能（利用可能状態のみ）について実行する。例えば、「目次」ボタンｔａが操作されたときは、目次を表示し、次に表示させる楽譜を選択させ、「ヘルプ」ボタンｈｐが操作されたときはヘルプを表示し、「印刷」ボタンが操作されたときは、印刷用のダイアログを表示し、ユーザ操作に応じて印刷させ、「レイアウト」ボタンｙｔが操作されたときは、ＳＴＡＴＥのレベルに応じて、同時に表示するページ数のリストを表示し、選択させ、表示レイアウトを切り替え、ページ番号ｐｇ近傍のタッチ操作に応じて譜めくり（表示更新）を指示する。
【０１０５】
このようにして、或る機種を示す機種ＩＤ情報Ｋｉを受信した場合、デフォルトで利用可能な機能：「目次」及び「ヘルプ」に追加して新たな機能：「印刷」及び「レイアウト」が利用可能になる。同じ系列（シリーズ）の機種でも初級者レベルの機種情報であると判断された場合、「レイアウト」機能については、例えば、１ページと２ページの切替え表示が可能であるが、中級以上のレベルの機種情報であると判断された場合には、「レイアウト」機能は、１ページと２ページの切替えに加えて４ページの切替え表示も可能になるように、同じ種類の機能でも実行可能な機能の細かさに差があるようにする。また、表示画面上では機種ＩＤ情報Ｋｉを受信したと判断されるまでは、例えば、図６の目次ボタンｔａの横に並ぶ印刷ボタンｐｒ及びレイアウトボタンｙｔが、選択不可能を示す表示態様で表示される（実際に選択乃至実行することはできない）。機能の対象となる機種ＩＤ情報Ｋｉの受信により、印刷ボタンｐｒ及びレイアウトボタンｙｔは、選択可能を示す表示態様に変わり、ユーザによる選択操作の受付けを可能とする利用可能状態になる。逆に、機種ＩＤ情報Ｋｉにより、その機種に対応しない機能のボタンが選択可能を示す表示態様になっていた場合には、該当するボタンを、選択不可能を示す表示態様に変更し、選択乃至実行することができない（利用不可能）状態に変更するように構成してもよい。
【０１０６】
さて、ステップＴ７で機能実行指示の受付けがないと判定したとき（Ｔ７＝ＮＯ）、或いは、ステップＴ８の機能実行の後は、ステップＴ４に戻り、上述したステップＴ４〜Ｔ８の処理を繰り返す。そして、ステップＴ４で終了操作があったと判定したときに（Ｔ４＝ＹＥＳ）、この別の電子音響装置連携処理を終了する。
【０１０７】
なお、コンテンツ及び機能追加処理（図１４）のステップＹ６では、単に「利用不可能状態になっている音楽コンテンツ」を利用可能状態に更新するようにしてもよく、ステップＹ７でも、単に「選択不可能状態になっているボタン」を選択可能状態の表示態様に更新するようにしてもよく、ステップＹ８の処理は省略してもよい。
【０１０８】
別の電子音響装置連携システムは、記憶部ＳＴｄに記憶される音楽コンテンツや機能実行プログラムについて、例えば、ユーザの習熟レベルや連携対象の電子音響装置ＥＭの想定するユーザレベルに応じて複数種類用意しておき、音楽コンテンツや機能実行プログラムがレベルなどにより数段階に分かれて利用可能状態になるような仕組みを提供しているということができる。つまり、図５の機能ブロックを流用して説明すると、電子音響装置ＥＭの機種ＩＤ（機種のバージョンを含む）のように、電子音響装置ＥＭの機種を特定することができる機種特定情報Ｋｉを制御信号Ｃｓ＝機種ＩＤ信号Ｃｓ２に含ませ、判断部ＤＣによって、受信条件を満足した場合（図１３：Ｔ５＝ＹＥＳ）、さらに、情報抽出部ＥＸにて抽出した機種ＩＤ（図１４：Ｙ１）からレベルを判定し（Ｙ４）、判定したレベルに応じた種類に属する１乃至複数の音楽コンテンツ及び／又は機能を利用可能状態に更新する（Ｙ５〜Ｙ８）。これにより、例えば、初級者レベルと判定した際は、初級者レベルに対応する種類の音楽コンテンツや機能実行プログラムを一斉に利用可能状態にすることができる。
【０１０９】
受信条件を満足した場合、機能実行プログラムのみについて利用不可能状態のものを利用可能状態に更新するようにしてもよいし、記憶部ＳＴｄに記憶された音楽コンテンツについても利用可能状態に更新するようにしてもよい。ここで、音楽コンテンツが利用可能状態であると、ユーザは電子音響装置連携装置ＤＳ上で利用可能状態の音楽コンテンツを選択し、例えば、表示や印刷などの機能の実行対象とすることができる。また、機能が利用可能状態であると、ユーザは電子音響装置連携装置ＤＳ上で利用可能状態の機能を選択して実行乃至起動することができる。
【０１１０】
〔コンテンツ及び／又は機能実行プログラムの利用可能化に関するまとめ〕
この発明の一実施形態による電子音響装置連携システムにおいては、電子音響装置から受信する音声信号に重畳されている情報には、前述した実施例のように曲ＩＤといった音楽コンテンツを特定することができるコンテンツ特定情報Ｓｉが入っているか、或いは、音声信号の送信元の電子音響装置の機種を特定することができる機種ＩＤなどの機種特定情報が最低限入っていればよい。また、両方の情報が１つの信号に入っていてもよい。
【０１１１】
電子音響装置連携装置ＤＳ側で、連携対象の電子音響装置ＥＭに対応して用意されたコンテンツや機能実行プログラムを追加で利用可能状態に更新することにより、ユーザが購入した連携対象の電子音響装置ＥＭの付加価値を向上させることができる。
【０１１２】
以上説明したように、この発明の一実施形態による電子音響装置連携システムでは、電子音響装置連携装置ＤＳは、記憶装置４内に、音楽コンテンツ、及び／又は、機能を実行するための機能実行プログラムを記憶する記憶部（ＳＴｄ）を備え、連携する電子音響装置ＥＭから、制御情報Ｃｓ２が重畳された音声信号Ａｓを受信すると（７；ＤＭ）、受信した音声信号Ａｓに重畳された制御情報Ｃｓが所定の条件〔（１）（２）等〕を満たすものであるかどうかを判断し（ＤＭ，ＤＣ；Ｓ５〜Ｓ８，Ｔ５）、所定の受信条件を満たすと判断された場合に（Ｓ８＝ＹＥＳ，Ｔ５＝ＹＥＳ）、記憶部ＳＴｄに記憶された音楽コンテンツ及び／又は機能実行プログラムについて利用不可能状態のものを利用可能状態に更新する〔ＤＣ；Ｓ１９，Ｔ６（Ｙ５〜Ｙ８）〕。ここで、制御情報Ｃｓ＝譜めくり信号Ｃｓ１には、少なくとも、音楽コンテンツを特定することができるコンテンツ特定情報Ｓｉが含ませ、制御情報Ｃｓからコンテンツ特定情報Ｓｉを抽出すると（ＥＸ；Ｓ１１）、抽出したコンテンツ特定情報Ｓｉに対応する音楽コンテンツを記憶部ＳＴｄから読み出す（ＣＴｄ；Ｓ１５）ように構成することができる。また、記憶部ＳＴｄに１乃至複数種類の音楽コンテンツ及び／又は機能実行プログラムを用意しておき、少なくとも、連携する電子音響装置ＥＭの機種を特定することができる機種特定情報（機種ＩＤ情報）Ｋｉを制御情報Ｃｓ＝機種ＩＤ信号Ｃｓ２に含ませ、受信条件を満たすと（Ｔ５＝ＹＥＳ）、制御情報Ｃｓ２から機種特定情報Ｋｉを抽出し〔ＥＸ；Ｔ６（Ｙ１）〕、抽出した機種特定情報Ｋｉに応じた種類の音楽コンテンツ及び／又は機能についてのみ利用不可能状態のものを利用可能状態に更新する〔ＤＣ：Ｔ６（Ｙ５〜Ｙ８）〕ように構成することができる。
【０１１３】
〔種々の実施態様及び補足事項〕
以上、この発明に関する電子音響装置連携システムの一実施形態について説明したが、これに限らず、種々の変更が可能である。例えば、電子音響装置連携システムにおいて、連携対象となる電子音響装置（ＥＭ）には、実施例のような電子楽器などの電子音楽装置の外に、音響信号を出力するＡＶ機器、ＰＡ機器、テレビなどがあり、電子音響装置連携装置（ＤＳ）には、実施例のような音楽コンテンツ表示装置（楽譜表示装置）の外に、録音装置、ゲーム装置、教習装置、曲データ編集装置、自動伴奏装置などがある。
【０１１４】
実施例では、音楽コンテンツとして、楽譜データ（楽譜表示データ）や曲ガイド用イラストデータ等の表示用曲対応データを取り扱うと説明したが、この外に、歌詞データ（歌詞表示データ）、コードネーム表示データ、付属情報、コメントデータなどの表示用曲対応データや、コード進行［列］指示データ、伴奏スタイルデータ、対応ＭＩＤＩデータなどの非表示の曲対応データを音楽コンテンツとして取り扱うようにしてもよい。例えば、付属情報は、該当する音楽コンテンツの作成日時や作成者、名前、カテゴリ（ジャンル）などであり、コメントデータは、該当する音楽コンテンツの解説や注意事項などがテキストやＨＴＭＬなどで作成され、音楽コンテンツ表示装置で取り扱うことができる。また、ゲーム装置において利用可能状態になる音楽コンテンツには、ＢＧＭデータや背景の画像データなどがあり、教習装置では、上述した曲ガイド用イラストデータや付属情報、コメントデータなどがある。さらに、曲データ編集装置では、上述した歌詞データやコードネーム表示データ、対応ＭＩＤＩデータなどがあり、自動伴奏装置では、上述した伴奏スタイルデータやコード進行列指示データなどがある。
【０１１５】
実施例では、機能実行プログラムで利用可能状態になる機能の例として、電子音響装置連携装置（ＤＳ）を楽譜表示装置として機能させるための楽譜表示プログラムにおいて、レイアウト切替え機能や印刷機能、ズーム切替え機能などがあると説明したが、電子音響装置連携装置を録音装置として機能させるための録音プログラムにおいては、録音波形データの表示乃至編集機能や保存機能などがある。また、電子音響装置連携装置をゲーム装置として機能させるためのゲームプログラムにおいては、当該ゲームプログラム上で起動可能な各種ゲーム機能があり、電子音響装置連携装置を教習装置として機能させる教習プログラムにおいては、演奏テンポ変更機能や採点機能などがある。更に、電子音響装置連携装置を曲データ編集装置として機能させるための曲データ編集プログラムにおいては、編集機能や保存機能、クオンタイズ機能、トランスポーズ機能などがあり、電子音響装置連携装置を自動伴奏装置として機能させるための自動伴奏プログラムにおいては、伴奏スタイル・セクション選択機能や各伴奏パートの再生ＯＮ／ＯＦＦ切替え機能などがある。
【０１１６】
電子音響装置連携装置（ＤＳ）が音楽コンテンツ表示装置（楽譜表示装置）や教習装置などの場合には、実施例のように、音楽コンテンツを特定することができるコンテンツ特定情報（Ｓｉ）だけでなく、音楽コンテンツの小節位置などの時間情報（Ｂｎ）をも受信することができるように構成すれば、表示や教習などに活用することができる。このとき、コンテンツ特定情報と音楽コンテンツにおける時間情報は、実施例のようにセットで１つの音声信号に重畳されていてもよいし、別々の音声信号に重畳されていてもよい。
【０１１７】
利用可能状態への更新は自動的に更新されてもよいし、更新可能になったことのみユーザに通知し更新の指示をユーザに操作させるようにしてもよい。その場合は、例えば更新ボタンを表示し、ユーザが押したときに更新を行う。
【０１１８】
音楽コンテンツを利用可能状態にする、或いは、機能を実行するプログラムを実行可能状態にする判定を行うトリガにできるのであれば、音声信号に重畳される情報は、音楽コンテンツを特定することのできる情報や機種を特定することのできる情報以外の情報でもよい。
【０１１９】
実施例では、音声信号に重畳されている制御信号は、具体的に、電子音響装置（ＥＭ）から所定の時間間隔で（例えば、０．５秒毎に）出力される譜めくり信号であるとした場合、実際の譜めくりを機能させるためだけでなく、利用不可能状態にある音楽コンテンツ（楽譜データなど）の利用可能化にも使用されている。
【０１２０】
電子音響装置連携装置本体及び電子音響装置連携プログラムは、電子音響装置（ＥＭ）の非購入者でも入手することができる場合に対処して、当該電子音響装置連携プログラムには、電子音響装置連携装置（ＤＳ）に元々記憶されている音楽コンテンツのうち最小限の音楽コンテンツ及び機能のみが利用可能とされる。この場合、例えば、電子音響装置（ＥＭ）が電子楽器の場合、電子楽器提供者にとっては、電子楽器（ＥＭ）の購入者には、電子楽器（ＥＭ）に内蔵曲として収録されている音楽コンテンツ（再生用曲データ）に対応する音楽コンテンツ（楽譜などの曲対応データ）は、電子楽器（ＥＭ）の価値の一部として全て使って欲しいので、電子楽器（ＥＭ）からの制御信号（Ｃｓ）を受信することが（１回以上）できたときに、電子音響装置連携装置（ＤＳ）を操作しているユーザが電子楽器（ＥＭ）の購入者とみなされて、電子音響装置連携装置（ＤＳ）に元々記憶されているが利用不可能状態になっている残りの（追加の）全ての音楽コンテンツ（曲対応データ）及び機能が自動的に利用可能状態に更新される。
【０１２１】
また、電子音響装置連携装置が提供可能な各機能が利用可能状態かを判別するためには、表示されない（ユーザに見えない）テーブルを持ち、各機能について利用可能状態かどうかの情報を記録しておくとよい。或いは、機能ごとにフラグを用意しておき利用可能状態かどうかを判別するように構成することもできる。
【０１２２】
記憶部（ＳＴｄ）に記憶される全音楽コンテンツ及び／又は全機能が利用可能状態であるか（信号受信の条件をクリアしたか）を判別するためのフラグを１つ用意し、更新するようにしてもよい。所定の信号受信により全ての音楽コンテンツと機能実行プログラムが利用可能状態となる場合、フラグの状態はセット／リセットの２種類でよいが、連携する電子音響装置（ＥＭ）のユーザ乃至購入機種のレベルで段階的に音楽コンテンツや機能が利用可能状態になるような場合には、どの段階（どの音楽コンテンツ群と機能群）が利用可能状態であるかの状態を表わす変数を１つ用意し、更新するようにしてもよい。
【０１２３】
ユーザが連携対象の電子音響装置（ＥＭ）を複数種類購入していた場合には、購入した複数の電子音響装置それぞれに対応する音楽コンテンツ及び機能が全て利用可能状態になっていてもよいし、実際にその時通信状態にある電子音響装置に対応する音楽コンテンツと機能のみが利用可能状態になるように利用可能状態の音楽コンテンツや機能実行プログラムの組合わせが変化してもよい。また、所定の信号を受信したかどうかの状態を示す変数（実施例ではＳＴＡＴＥ）に対応付けて、電子音響装置（ＥＭ）の機種ＩＤ情報や機種のシリーズ情報、レベルなどの情報を管理しておくとよい。
【０１２４】
更に、複数種類の電子音響装置と通信する場合に備えて、通信した電子音響装置の機種ＩＤ情報の履歴を記録しておくようにすると、夫々の電子音響装置に対応した適切な音楽コンテンツ及び機能実行プログラムが利用可能状態となり、使い易いものとなる。また、各機種に特有の音楽コンテンツや機能実行プログラムを利用することが可能になる。
【０１２５】
実施例では、電子音響装置（ＥＭ）から、制御情報（Ｃｓ）が重畳された音声信号（Ａｓ）を受信するようにしているが、電子音響装置に内蔵される音楽コンテンツ（デモ曲など）の再生出力を数小節分受信して分析し、電子音響装置連携装置（ＤＳ）側で連携対象の電子音響装置（ＥＭ）に内蔵された音楽コンテンツであることを認識することができたときに、電子音響装置連携装置（ＤＳ）内に記憶される全音楽コンテンツ及び全機能実行プログラムを利用可能状態に更新するように構成してもよい。
【０１２６】
電子音響装置（ＥＭ）から送信された信号により電子音響装置連携装置（ＤＳ）に記憶される音楽コンテンツや機能実行プログラムが利用可能状態に更新されたときに、何れかの音楽コンテンツ或いは機能実行プログラムが自動的に選択されて実行される（選択されたのが音楽コンテンツの場合は、更に何れかの機能が選択されて実行される）ような仕組みになっていてもよい。例えば、電子音響装置連携装置（ＤＳ）が音楽コンテンツ表示装置の場合、自動的に利用可能状態になった音楽コンテンツのうち、最初の（つまりＩＤ値が最小の）音楽コンテンツ（楽譜表示データ）がデフォルトで選択され表示される。また、電子音響装置連携装置（ＤＳ）がゲーム装置の場合は、自動的に、利用可能状態になったゲームの中でデフォルトの１つが選択され起動するように構成してもよい。デフォルトは、電子音響装置連携装置（ＤＳ）内で、例えば、ＩＤ値が最小のものや作成日時が最新のものなどで決められていてもよいし、ユーザにより決定条件を設定することができるようにしてもよい。
【０１２７】
機能実行プログラムが利用可能状態に更新されるということは、電子音響装置連携装置ＤＳ上で利用可能状態に更新された機能が、ユーザ操作により選択及び実行することができるようになる、ということである。或いは、例えば、実施例のように、電子音響装置連携装置ＤＳが音楽コンテンツ表示装置（楽譜表示装置）の場合、音楽コンテンツ（楽譜）を表示する際に、表示自体は電子音響装置ＥＭからの制御信号Ｃｓの受信に係わらず行われるが、制御信号Ｃｓの受信後は、音楽コンテンツを表示する際に、１ページ分の楽譜をユーザが画面スクロールしなくてすむように自動的に縮小して表示する、というようにユーザＩ／Ｆ上に現れてこない内部的な機能（或る機能の一部）が実行されるようになっていてもよい。こうした場合には、例えば、内部的にフラグなどの情報で機能のＯＮ／ＯＦＦを管理する。
【符号の説明】
【０１２８】
ＥＭ  電子音響装置（電子楽器などの電子音楽装置）、
ＤＳ  電子音響装置連携装置（楽譜表示装置などの音楽コンテンツ表示装置）、
Ａｓ  音声信号、
Ｃｓ：Ｃｓ１，Ｃｓ２  制御信号（譜めくり信号及び機種ＩＤ信号）、
Ｓｉ，Ｂｎ  音楽コンテンツ特定情報（曲ＩＤ情報）及び位置情報（小節番号）、
Ｋｉ  機種特定情報（機種ＩＤ情報）。
【図１】
2013080205.tif 000003
【図２】
2013080205.tif 000004
【図３】
2013080205.tif 000005
【図４】
2013080205.tif 000006
【図５】
2013080205.tif 000007
【図６】
2013080205.tif 000008
【図７】
2013080205.tif 000009
【図８】
2013080205.tif 000010
【図９】
2013080205.tif 000011
【図１０】
2013080205.tif 000012
【図１１】
2013080205.tif 000013
【図１２】
2013080205.tif 000014
【図１３】
2013080205.tif 000015
【図１４】
2013080205.tif 000016